(57)【要約】【課題】  領域情報の提供を受ける側において、周辺の領域に配置されている、コンテンツ処理装置から提供されるコンテンツに対応させて、所望のコンテンツ処理装置を制御するための制御データを生成できる。【解決手段】  SDR１２は、自分の周辺の領域に配置されているDVDプレーヤ２３などのコンテンツ処理装置から提供されるコンテンツに関係するコンテンツ関係情報を含むと共に、コンテンツ処理装置を制御するための装置制御情報を含む領域情報を記録する。SDR１２は、領域情報を基にコンテンツ処理装置のうちの特定のコンテンツ処理装置を制御するための制御データを生成するMDR１４に、記録されている領域情報を送信する。本発明は、コンテンツ視聴システムを構成するディレクトリに適用できる。【選択図】  図１
2005150881.tif 000002
【特許請求の範囲】
【請求項１】
自分の周辺の領域に配置されているコンテンツ処理装置から提供されるコンテンツに関係するコンテンツ関係情報を含むと共に、前記コンテンツ処理装置を制御するための装置制御情報を含む領域情報の記録を制御する記録制御手段と、
前記領域情報を基に前記コンテンツ処理装置のうちの特定の前記コンテンツ処理装置を制御するための制御データを生成する情報処理装置への、記録されている前記領域情報の送信を制御する送信制御手段と
を含むことを特徴とする情報提供装置。
【請求項２】
前記コンテンツ処理装置から送信されてきた前記コンテンツ関係情報および前記制御情報の受信を制御する受信制御手段をさらに含み、
前記記録制御手段は、前記領域情報として、受信した前記コンテンツ関係情報および前記制御情報の記録を制御する
ことを特徴とする請求項１に記載の情報提供装置。
【請求項３】
前記受信制御手段は、前記コンテンツを格納するコンテンツ格納媒体が前記コンテンツ処理装置に装着された場合、前記コンテンツ処理装置から送信されてくる前記コンテンツ関係情報および前記制御情報の受信を制御し、
前記記録制御手段は、受信した前記コンテンツ関係情報および前記制御情報を基に、前記領域情報を更新するように前記領域情報の記録を制御する
ことを特徴とする請求項１に記載の情報提供装置。
【請求項４】
前記記録制御手段は、前記コンテンツ処理装置の位置を示す位置情報をさらに含む前記領域情報の記録を制御する
ことを特徴とする請求項１に記載の情報提供装置。
【請求項５】
自分の周辺の領域に配置されているコンテンツ処理装置から提供されるコンテンツに関係するコンテンツ関係情報を含むと共に、前記コンテンツ処理装置を制御するための装置制御情報を含む領域情報の記録を制御する記録制御ステップと、
前記領域情報を基に前記コンテンツ処理装置のうちの特定の前記コンテンツ処理装置を制御するための制御データを生成する情報処理装置への、記録されている前記領域情報の送信を制御する送信制御ステップと
を含むことを特徴とする情報提供方法。
【請求項６】
自分の周辺の領域に配置されているコンテンツ処理装置から提供されるコンテンツに関係するコンテンツ関係情報を含むと共に、前記コンテンツ処理装置を制御するための装置制御情報を含む領域情報の記録を制御する記録制御ステップと、
前記領域情報を基に前記コンテンツ処理装置のうちの特定の前記コンテンツ処理装置を制御するための制御データを生成する情報処理装置への、記録されている前記領域情報の送信を制御する送信制御ステップと
を含むことを特徴とする情報提供処理をコンピュータに実行させるプログラムが記録されている記録媒体。
【請求項７】
自分の周辺の領域に配置されているコンテンツ処理装置から提供されるコンテンツに関係するコンテンツ関係情報を含むと共に、前記コンテンツ処理装置を制御するための装置制御情報を含む領域情報の記録を制御する記録制御ステップと、
前記領域情報を基に前記コンテンツ処理装置のうちの特定の前記コンテンツ処理装置を制御するための制御データを生成する情報処理装置への、記録されている前記領域情報の送信を制御する送信制御ステップと
をコンピュータに実行させることを特徴とするプログラム。
【発明の詳細な説明】
【技術分野】
【０００１】
本発明は、情報提供装置および方法、記録媒体、並びにプログラムに関し、特に、コンテンツに関係する情報を提供する情報提供装置および方法、記録媒体、並びにプログラムに関する。
【背景技術】
【０００２】
従来、動画像や音声のコンテンツを複数の機器を用いて鑑賞する場合、使用者は、鑑賞しようとするコンテンツを選択し、選択したコンテンツを再生する機器を選択する。そして、さらに、使用者は、選択された機器から出力される動画像または音声の信号を基に、画像を表示し、または音声を出力する機器を選択し、画像を表示し、または音声を出力する機器の入力系統を選択する。
【０００３】
例えば、画像のコンテンツを記録しているビデオカセットを用いて、記録されているコンテンツを鑑賞する場合、使用者は、そのビデオカセットからコンテンツを読み出すことができるビデオカセットプレーヤ（または、再生機能を有するビデオカセットレコーダ）を選択し、選択されたビデオカセットプレーヤにビデオカセットを装着する。そして、使用者は、画像を表示し、音声を出力することができるテレビジョン受像器を選択し、そのテレビジョン受像器の入力をビデオカセットプレーヤからの入力系統に接続するように切り換える。
【０００４】
また、音声をテレビジョン受像器の小さなスピーカから出力するのではなく、ステレオ増幅器に接続されているスピーカから出力させたい場合には、使用者は、ステレオ増幅器の入力をビデオカセットプレーヤからの入力系統に接続するように切り換える。
【０００５】
例えば、リモートコントローラを使用して、ビデオカセットに記録されているコンテンツをテレビジョン受像器で鑑賞する場合には、使用者は、選択されたビデオカセットプレーヤにビデオカセットを装着し、テレビジョン受像器の入力をビデオカセットプレーヤからの入力系統に接続するように切り換えて、リモートコントローラを操作することによって、ビデオカセットに再生、早送り、巻き戻しなどの動作を実行させることにより、所望のコンテンツが記録されている部分を探す、いわゆる頭出しをして、コンテンツの再生を開始させる。
【０００６】
このように、使用者がコンテンツを鑑賞する場合、使用者が希望するコンテンツを選択して、再生するという本来必要とされる操作だけではなく、コンテンツを再生させる機器を選択して、機器の接続を切り換えて、機器の動作を指示するといった付帯的な操作が必要とされる。すなわち、コンテンツを鑑賞する場合には、コンテンツを選択するという目的とは、異なる作業によって、使用者の操作の大半が占められることになる。
【０００７】
使用者は、機器同士の配線接続を管理したり、入力の切り換えしたりしたいわけではないが、機器側の構成により、コンテンツを鑑賞する場合には、そのような付加的な操作をしなければならなかった。
【０００８】
また、家庭など複数の使用者が存在する環境において、ある特定の使用者が好んで使用するコンテンツを鑑賞する場合には、その使用者は、他の使用者を含む複数の使用者のそれぞれが所有する多数のコンテンツの中から、自己のコンテンツを選択しなければならなかった。
【０００９】
HAVi（Home Audio/Video interoperability）などの機器接続プロトコルを利用して、機器同士の接続管理を容易に行うようにしたとしても、使用者がコンテンツを視聴する場合に、「このコンテンツをこの機器を組み合わせて視聴したい」という要求に直接応えられるわけではない。
【００１０】
さらに、複数の使用者が保有する多数のコンテンツの中から、ある使用者が自分の希望するコンテンツを迅速に選択することはできなかった。
【００１１】
ビデオカセットが装着されたビデオカセットプレーヤの動作をリモートコントローラで指示する場合、テレビジョン受像器の入力系統がビデオカセットからの系統に切り替わるようにすることは従来から可能であるが、特定の使用者にあわせて、入力系統の切り替わり方を変更することはできない。
【００１２】
また、ＩＣ（Integrated Circuit）カードには、有料ディジタル放送を視聴するのに必要とされる情報に加えて、ディジタル放送受信装置に対して出力映像及び／又は出力音声の調節を行わせるための情報、ＥＰＧ（Electronic Program Guide）画面を生成するのに必要な情報の選択取得に利用される情報、番組予約に関わる情報等の個人情報が格納されるようにしたシステムもある（例えば、特許文献１参照）。このシステムにおいて、システムコントローラは、ユーザにより設定された個人情報をＣＡモジュールに装填されているＩＣカードから読み出し、この個人情報を利用した処理、例えば、映像調整、音声調整、ＥＰＧ画面生成処理、番組予約設定内容に基づく予約番組受信処理などを行う。
【００１３】
【特許文献１】特開２００１−２５８００７号公報
【発明の開示】
【発明が解決しようとする課題】
【００１４】
このように、複数の機器からなるシステムで所望のコンテンツを使用するためには、面倒な操作が必要とされる。
【課題を解決するための手段】
【００１５】
本発明の情報提供装置は、自分の周辺の領域に配置されているコンテンツ処理装置から提供されるコンテンツに関係するコンテンツ関係情報を含むと共に、コンテンツ処理装置を制御するための装置制御情報を含む領域情報の記録を制御する記録制御手段と、領域情報を基にコンテンツ処理装置のうちの特定のコンテンツ処理装置を制御するための制御データを生成する情報処理装置への、記録されている領域情報の送信を制御する送信制御手段とを含むことを特徴とする。
【００１６】
情報提供装置は、コンテンツ処理装置から送信されてきたコンテンツ関係情報および制御情報の受信を制御する受信制御手段をさらに設け、記録制御手段は、領域情報として、受信したコンテンツ関係情報および制御情報の記録を制御するようにすることができる。
【００１７】
受信制御手段は、コンテンツを格納するコンテンツ格納媒体がコンテンツ処理装置に装着された場合、コンテンツ処理装置から送信されてくるコンテンツ関係情報および制御情報の受信を制御し、記録制御手段は、受信したコンテンツ関係情報および制御情報を基に、領域情報を更新するように領域情報の記録を制御するようにすることができる。
【００１８】
記録制御手段は、コンテンツ処理装置の位置を示す位置情報をさらに含む領域情報の記録を制御するようにすることができる。
【００１９】
本発明の情報提供方法は、自分の周辺の領域に配置されているコンテンツ処理装置から提供されるコンテンツに関係するコンテンツ関係情報を含むと共に、コンテンツ処理装置を制御するための装置制御情報を含む領域情報の記録を制御する記録制御ステップと、領域情報を基にコンテンツ処理装置のうちの特定のコンテンツ処理装置を制御するための制御データを生成する情報処理装置への、記録されている領域情報の送信を制御する送信制御ステップとを含むことを特徴とする。
【００２０】
本発明の記録媒体のプログラムは、自分の周辺の領域に配置されているコンテンツ処理装置から提供されるコンテンツに関係するコンテンツ関係情報を含むと共に、コンテンツ処理装置を制御するための装置制御情報を含む領域情報の記録を制御する記録制御ステップと、領域情報を基にコンテンツ処理装置のうちの特定のコンテンツ処理装置を制御するための制御データを生成する情報処理装置への、記録されている領域情報の送信を制御する送信制御ステップとを含むことを特徴とする。
【００２１】
本発明のプログラムは、コンピュータに、自分の周辺の領域に配置されているコンテンツ処理装置から提供されるコンテンツに関係するコンテンツ関係情報を含むと共に、コンテンツ処理装置を制御するための装置制御情報を含む領域情報の記録を制御する記録制御ステップと、領域情報を基にコンテンツ処理装置のうちの特定のコンテンツ処理装置を制御するための制御データを生成する情報処理装置への、記録されている領域情報の送信を制御する送信制御ステップとを実行させることを特徴とする。
【００２２】
情報提供装置は、独立した装置であっても良いし、提供処理を行うブロックであっても良い。
【００２３】
本発明の情報提供装置および方法、記録媒体、並びにプログラムにおいては、自分の周辺の領域に配置されているコンテンツ処理装置から提供されるコンテンツに関係するコンテンツ関係情報を含むと共に、コンテンツ処理装置を制御するための装置制御情報を含む領域情報の記録が制御され、領域情報を基にコンテンツ処理装置のうちの特定のコンテンツ処理装置を制御するための制御データを生成する情報処理装置への、記録されている領域情報の送信が制御される。
【発明の効果】
【００２４】
情報処理装置において、周辺の領域に配置されている、コンテンツ処理装置から提供されるコンテンツに対応させて、所望のコンテンツ処理装置を制御するための制御データを生成できるようになり、この制御データを用いることにより、コンテンツ処理装置に、所望のコンテンツに対する所望の処理を、より少ない操作で実行させることができる。
【発明を実施するための最良の形態】
【００２５】
以下に本発明の実施の形態を説明するが、本明細書に記載の発明と、発明の実施の形態との対応関係を例示すると、次のようになる。この記載は、本明細書に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２６】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により出現、追加される発明の存在を否定するものではない。
【００２７】
本発明によれば、情報提供装置が提供される。この情報提供装置（例えば、図１のSDR１２）は、自分の周辺の領域に配置されているコンテンツ処理装置から提供されるコンテンツに関係するコンテンツ関係情報を含むと共に、コンテンツ処理装置を制御するための装置制御情報を含む領域情報の記録を制御する記録制御手段（例えば、図２の蓄積部５３）と、領域情報を基にコンテンツ処理装置のうちの特定のコンテンツ処理装置を制御するための制御データを生成する情報処理装置（例えば、図１のMDR１４）への、記録されている領域情報の送信を制御する送信制御手段（例えば、図２の通信部５１）とを含む。
【００２８】
情報提供装置は、コンテンツ処理装置から送信されてきたコンテンツ関係情報および制御情報の受信を制御する受信制御手段（例えば、図１１のステップＳ２００４の処理を実行する処理部５２）をさらに設け、記録制御手段は、領域情報として、受信したコンテンツ関係情報および制御情報の記録を制御するようにすることができる。
【００２９】
受信制御手段は、コンテンツを格納するコンテンツ格納媒体がコンテンツ処理装置に装着された場合、コンテンツ処理装置から送信されてくるコンテンツ関係情報および制御情報の受信を制御し、記録制御手段は、受信したコンテンツ関係情報および制御情報を基に、領域情報を更新するように領域情報の記録を制御するようにすることができる。
【００３０】
記録制御手段は、コンテンツ処理装置の位置を示す位置情報をさらに含む領域情報の記録を制御するようにすることができる。
【００３１】
本発明によれば、情報提供方法が提供される。この情報提供方法は、自分の周辺の領域に配置されているコンテンツ処理装置から提供されるコンテンツに関係するコンテンツ関係情報を含むと共に、コンテンツ処理装置を制御するための装置制御情報を含む領域情報の記録を制御する記録制御ステップ（例えば、図１１のステップＳ２００５の処理）と、領域情報を基にコンテンツ処理装置のうちの特定のコンテンツ処理装置を制御するための制御データを生成する情報処理装置（例えば、図１のMDR１４）への、記録されている領域情報の送信を制御する送信制御ステップ（例えば、図２２のステップＳ３３０３の処理）とを含む。
【００３２】
本発明によれば、プログラムが提供される。このプログラムは、自分の周辺の領域に配置されているコンテンツ処理装置から提供されるコンテンツに関係するコンテンツ関係情報を含むと共に、コンテンツ処理装置を制御するための装置制御情報を含む領域情報の記録を制御する記録制御ステップ（例えば、図１１のステップＳ２００５の処理）と、領域情報を基にコンテンツ処理装置のうちの特定のコンテンツ処理装置を制御するための制御データを生成する情報処理装置（例えば、図１のMDR１４）への、記録されている領域情報の送信を制御する送信制御ステップ（例えば、図２２のステップＳ３３０３の処理）とを含む。
【００３３】
プログラムは、記録媒体（例えば、図４４の磁気ディスク３５１）に記録することができる。
【００３４】
図１は、本発明に係るコンテンツ視聴システムの一実施の形態の構成を示す図である。コンテンツ視聴システム１−１は、１つの住宅内に構成され、コンテンツ視聴システム１−２は、他の住宅内に構成されている。
【００３５】
コンテンツ視聴システム１−１およびコンテンツ視聴システム１−２は、インターネット２を介して、接続されている。
【００３６】
コンテンツ視聴システム１−１において、LAN（Local Area Network）１１は、SDR（Space Directory）１２、PDR（Personal Directory）１３−１、無線LANアクセスポイント１６、ルータ１８、HDD（Hard Disk Drive）ビデオレコーダ１９、モニタ２１−１、スピーカ２２−１、DVD（Digital Versatile Disk）プレーヤ２３、DVDレコーダ２４、テレビジョンチューナ２５、チューナ２６、オーディオアンプ２７、マルチスピーカ２８、リモートコントローラ送受信装置２９−１、モニタ２１−２、スピーカ２２−２、リモートコントローラ送受信装置２９−２、モニタ２１−３、スピーカ２２−３、リモートコントローラ送受信装置２９−３、モニタ２１−４、スピーカ２２−４、モニタ２１−５、およびスピーカ２２−５を相互に接続する。
【００３７】
なお、HDDビデオレコーダ１９、モニタ２１−１、スピーカ２２−１、DVDプレーヤ２３、DVDレコーダ２４、テレビジョンチューナ２５、チューナ２６、オーディオアンプ２７、マルチスピーカ２８、モニタ２１−２、スピーカ２２−２、モニタ２１−３、スピーカ２２−３、モニタ２１−４、スピーカ２２−４、モニタ２１−５、およびスピーカ２２−５は、コンテンツを処理する装置の一例である。
【００３８】
さらに、LAN１１は、無線LANアクセスポイント１６を介して、SDR１２乃至スピーカ２２−５と、MDR（Mobile Directory）１４およびパーソナルリモートコントローラ１７を接続する。LAN１１は、所望の通信方式を採用することができ、例えば、Ethernet（登録商標）、またはIEEE（Institute of Electrical and Electronic Engineers）802.11a，IEEE802.11b，若しくはIEEE802.11gの規格に基づくネットワークとすることができる。
【００３９】
コンテンツ視聴システム１−２は、コンテンツ視聴システム１−１と同様に構成される。
【００４０】
以下、コンテンツとして、画像のデータまたは音声のデータを取り扱う例を説明するが、コンテンツは、画像のデータまたは音声のデータに限らず、数値データ、またはプログラムなど、使用者にとって有意な情報であれば足りる。
【００４１】
SDR１２は、周辺の空間である、例えば、住宅内に設置された機器に関係する情報およびこれらの機器から提供されるコンテンツに関係する情報を記録して、記録している情報を他の機器に提供する。
【００４２】
PDR１３−１は、個人に関係する個人情報を記録し、要求に応じて、記録している個人情報のうち、１人の個人の個人情報を他の機器に供給する。
【００４３】
PDR１３−２は、PDR１３−１が記録している個人情報の個人とは異なる、個人の個人情報を記録し、要求に応じて、記録している個人情報のうち、１人の個人の個人情報を他の機器に供給する。
【００４４】
MDR１４は、ID（IDentifier）デバイス１５から、IDデバイス１５に記憶されている、個人を特定するための個人IDを取得して、個人IDを基に、PDR１３−１またはPDR１３−２から、個人IDで特定される個人の個人情報を取得する。MDR１４は、SDR１２から、周辺の空間に設置された機器に関係する情報およびこれらの機器から提供されるコンテンツに関係する情報を取得する。
【００４５】
そして、MDR１４は、周辺の空間に設置された機器に関係する情報およびこれらの機器から提供されるコンテンツに関係する情報、並びに個人情報を基に、周辺の空間に設置された機器を制御するためのデータを生成する。MDR１４は、生成した機器を制御するためのデータを無線を介してパーソナルリモートコントローラ１７に供給する。
【００４６】
なお、図１において、１点鎖線は、無線（近接通信を含む）による通信を示す。
【００４７】
IDデバイス１５は、いわゆる、IDカードなどであり、個人を特定するための個人IDを記憶し、記憶している個人IDをMDR１４に供給する。
【００４８】
無線LANアクセスポイント１６は、無線およびLAN１１を介して、MDR１４およびパーソナルリモートコントローラ１７を、SDR１２乃至スピーカ２２−５と接続する。
【００４９】
パーソナルリモートコントローラ１７は、MDR１４から供給された、機器を制御するためのデータを基に、モニタ２１−１乃至スピーカ２２−５に動作を指示する指令を供給する。例えば、パーソナルリモートコントローラ１７は、機器を制御するためのデータを基に、赤外線または無線を介して、モニタ２１−１乃至スピーカ２２−５に動作を指示する指令を供給する。
【００５０】
なお、図１において、２点鎖線は、赤外線による通信を示す。
【００５１】
ルータ１８は、LAN１１とインターネット２とを接続する。例えば、MDR１４がPDR１３−２から個人情報を取得する場合には、ルータ１８は、MDR１４からの要求をインターネット２を介して、PDR１３−２宛てに送信し、インターネット２を介して、PDR１３−２から送信されてきた個人情報をMDR１４に供給する。
【００５２】
HDDビデオレコーダ１９は、コンテンツの一例である画像データを記録し、記録している画像データをLAN１１を介して他の機器に供給する。
【００５３】
コンテンツ視聴システム１−１が設けられている住宅の居間２０には、モニタ２１−１、スピーカ２２−１、DVDプレーヤ２３、DVDレコーダ２４、テレビジョンチューナ２５、チューナ２６、オーディオアンプ２７、マルチスピーカ２８、およびリモートコントローラ送受信装置２９−１が配置されている。
【００５４】
モニタ２１−１は、LAN１１を介して、供給された画像データを基に、画像を表示する。スピーカ２２−１は、LAN１１を介して、供給された音声データを基に、音声を出力（放音）する。
【００５５】
DVDプレーヤ２３は、装着されているDVDからコンテンツを読み出して、LAN１１を介して、コンテンツの画像データまたは音声データを他の機器に供給する。DVDレコーダ２４は、LAN１１を介して、供給された画像データまたは音声データを、装着されているDVDに記録する。
【００５６】
テレビジョンチューナ２５は、テレビジョン放送局から放送される番組（電波）を受信して、テレビジョン放送の番組の画像データまたは音声データを復号し、LAN１１を介して、コンテンツの一例であるテレビジョン放送の番組の画像データまたは音声データを他の機器に供給する。チューナ２６は、ラジオ放送局から放送される番組（電波）を受信して、ラジオ放送の番組の音声データを復号し、LAN１１を介して、コンテンツの一例であるラジオ放送の番組の音声データを他の機器に供給する。
【００５７】
オーディオアンプ２７は、LAN１１を介して、他の機器から供給された音声データに所定の処理を適用して、処理された音声データを他の機器に供給する。例えば、オーディオアンプ２７は、LAN１１を介して、DVDプレーヤ２３から供給された音声データに周波数帯域毎のイコライジングの処理を適用して、イコライズされた音声データをマルチスピーカ２８に供給する。
【００５８】
マルチスピーカ２８は、LAN１１を介して、他の機器から供給された音声データを基に、音声を出力する。例えば、マルチスピーカ２８は、６個のスピーカの集合からなり、いわゆる5.1チャンネルの音声データを基に、各スピーカから各チャンネルの音声を出力する。
【００５９】
リモートコントローラ送受信装置２９−１は、無線を介して、パーソナルリモートコントローラ１７から送信されてきた指令を受信して、モニタ２１−１乃至マルチスピーカ２８に、受信した指令を供給する。
【００６０】
コンテンツ視聴システム１−１が設けられている住宅の寝室３０には、モニタ２１−２およびスピーカ２２−２が配置されている。コンテンツ視聴システム１−１が設けられている住宅の子供部屋３１には、モニタ２１−３およびスピーカ２２−３が配置されている。コンテンツ視聴システム１−１が設けられている住宅の洗面室３２には、モニタ２１−４およびスピーカ２２−４が配置されている。コンテンツ視聴システム１−１が設けられている住宅の浴室３３には、モニタ２１−５およびスピーカ２２−５が配置されている。
【００６１】
モニタ２１−２乃至モニタ２１−５は、LAN１１を介して、供給された画像データを基に、画像を表示する。スピーカ２２−２乃至スピーカ２２−５は、LAN１１を介して、供給された音声データを基に、音声を出力（放音）する。
【００６２】
リモートコントローラ送受信装置２９−２乃至２９−３は、無線を介して、パーソナルリモートコントローラ１７から送信されてきた指令を受信して、モニタ２１−２乃至スピーカ２２−５に、受信した指令を供給する。
【００６３】
以下、コンテンツ視聴システム１−１およびコンテンツ視聴システム１−２を個々に区別する必要がないとき、単に、コンテンツ視聴システム１と称する。
【００６４】
以下、PDR１３−１およびPDR１３−２を個々に区別する必要がないとき、単に、PDR１３と称する。以下、モニタ２１−１乃至モニタ２１−５を個々に区別する必要がないとき、単に、モニタ２１と称する。
【００６５】
以下、スピーカ２２−１乃至スピーカ２２−５を個々に区別する必要がないとき、単に、スピーカ２２と称する。以下、リモートコントローラ送受信装置２９−１乃至リモートコントローラ送受信装置２９−３を個々に区別する必要がないとき、単に、リモートコントローラ送受信装置２９と称する。
【００６６】
次に、個々の機器の内部構成について説明する。
【００６７】
図２は、SDR１２の構成の例を示すブロック図である。通信部５１は、LAN１１を介して、他の機器とデータを通信する。
【００６８】
以下の説明において、データは、制御用のデータ、例えば、メッセージまたはコマンドなどを含む。
【００６９】
通信部５１は、LAN１１を介して、他の機器から送信されてきたデータを受信して、受信したデータを処理部５２に供給する。通信部５１は、処理部５２から供給されたデータを、LAN１１を介して、他の機器に送信する。
【００７０】
処理部５２は、通信部５１から供給された、受信したデータ、または蓄積部５３に蓄積されているデータを基に、各種の処理を実行する。処理部５２は、通信部５１から供給された、受信したデータ、または処理結果のデータを蓄積部５３に蓄積させる。
【００７１】
蓄積部５３は、処理部５２から供給された、受信したデータまたは処理結果のデータを蓄積し、蓄積しているデータを処理部５２に供給する。
【００７２】
図３は、PDR１３の構成の例を示すブロック図である。通信部６１は、LAN１１を介して、他の機器とデータを通信する。通信部６１は、LAN１１を介して、他の機器から送信されてきたデータを受信して、受信したデータを制御部６２または認証処理部６４に供給する。通信部６１は、制御部６２または認証処理部６４から供給されたデータを、LAN１１を介して、他の機器に送信する。
【００７３】
制御部６２は、通信部６１から供給された、受信したデータ、または蓄積部６３に蓄積されているデータを基に、PDR１３全体を制御する。制御部６２は、蓄積部６３から、蓄積されているデータを読み出して、読み出したデータを通信部６１に供給する。
【００７４】
蓄積部６３は、各種のデータを蓄積し、蓄積しているデータを制御部６２に供給する。
【００７５】
認証処理部６４は、通信部６１から供給されたデータを基に、認証の処理を実行して、その結果を示すデータを通信部６１に供給する。認証処理部６４は、認証の処理の結果を基に、処理の継続または停止を制御部６２に指示する。
【００７６】
図４は、MDR１４の構成の例を示すブロック図である。近接通信部７１は、近接通信を介して、IDデバイス１５から供給された認証データ（個人IDを含む）を受信して、受信した認証データを近接通信制御部７２に供給する。
【００７７】
ここで、近接通信とは、電波または電磁結合などを利用した近距離の無線通信をいう。
【００７８】
近接通信部７１は、近接通信制御部７２から供給された認証データを、近接通信を介して、IDデバイス１５に供給する。
【００７９】
近接通信制御部７２は、近接通信部７１の通信を制御する。近接通信制御部７２は、近接通信部７１から供給された認証データを認証処理部７３に供給すると共に、認証処理部７３から供給された認証の結果を示すデータを近接通信部７１に供給する。
【００８０】
認証処理部７３は、使用者の操作に対応した入出力部７４からの信号、および受信した認証データを基に、認証の処理を実行して、認証の処理の結果を示すデータを近接通信制御部７２に供給する。認証処理部７３は、認証の処理の結果を入出力部７４に表示させる。認証処理部７３は、認証の処理の結果を制御部７６を介して、蓄積部７７に蓄積させる。
【００８１】
また、認証処理部７３は、認証の処理の結果を基に、処理の継続または停止を制御部７６に指示する。
【００８２】
入出力部７４は、使用者の操作に対応した指示を入力するためのボタン若しくはスイッチ、または処理結果を表示するための液晶表示装置などからなる。
【００８３】
通信部７５は、無線およびLAN１１を介して、他の機器とデータを通信する。通信部７５は、無線およびLAN１１を介して、他の機器から送信されてきたデータを受信して、受信したデータを制御部７６に供給する。通信部７５は、制御部７６から供給されたデータを、無線およびLAN１１を介して、他の機器に送信する。
【００８４】
通信部７５は、さらに、無線を介して、パーソナルリモートコントローラ１７と通信する。通信部７５は、無線を介して、パーソナルリモートコントローラ１７から送信されてきたデータを受信して、受信したデータを制御部７６に供給する。通信部７５は、制御部７６から供給されたデータを、無線を介して、パーソナルリモートコントローラ１７に送信する。
【００８５】
制御部７６は、MDR１４の全体を制御する。制御部７６は、通信部７５から供給されたデータを蓄積部７７に蓄積させる。また、制御部７６は、蓄積部７７から、蓄積されているデータを読み出して、読み出したデータを通信部７５に供給する。
【００８６】
蓄積部７７は、各種のデータを蓄積し、蓄積しているデータを制御部７６に供給する。
【００８７】
図５は、IDデバイス１５の構成の例を示すブロック図である。近接通信部８１は、近接通信を介して、MDR１４から供給された認証データを受信して、受信した認証データを近接通信制御部８２に供給する。近接通信部８１は、近接通信制御部８２から供給された認証データを、近接通信を介して、IDデバイス１５に供給する。
【００８８】
近接通信制御部８２は、近接通信部８１の通信を制御する。近接通信制御部８２は、近接通信部８１から供給された認証データを認証処理部８３に供給すると共に、認証処理部８３から供給された認証の結果を示すデータを近接通信部８１に供給する。
【００８９】
認証処理部８３は、蓄積部８４に予め蓄積されている個人IDなどの各種のデータ、および受信した認証データを基に、認証の処理を実行して、認証の処理の結果を示すデータを近接通信制御部８２に供給する。
【００９０】
蓄積部８４は、個人IDなどの各種のデータを蓄積し、蓄積しているデータを認証処理部８３に供給する。
【００９１】
図６は、パーソナルリモートコントローラ１７の構成の例を示すブロック図である。通信部９１は、無線またはLAN１１を介して、他の機器とデータ（制御用データを含む）を通信する。通信部９１は、無線またはLAN１１を介して、他の機器から送信されてきたデータを受信して、受信したデータを制御部９２に供給する。通信部９１は、制御部９２から供給されたデータを、無線またはLAN１１を介して、他の機器に送信する。
【００９２】
また、通信部９１は、無線通信を介して、MDR１４またはリモートコントローラ送受信装置２９−１乃至２９−３と通信する。通信部９１は、無線通信を介して、MDR１４またはリモートコントローラ送受信装置２９−１乃至２９−３から送信されてきたデータを受信して、受信したデータを制御部９２に供給する。通信部９１は、制御部９２から供給されたデータを、無線通信を介して、MDR１４またはリモートコントローラ送受信装置２９−１乃至２９−３に送信する。
【００９３】
制御部９２は、通信部９１から供給された、受信したデータを蓄積部９３に蓄積させる。制御部９２は、通信部９１から供給された、受信したデータ、蓄積部９３に蓄積されているデータ、または使用者の操作に対応した入力部９５からの信号を基に、パーソナルリモートコントローラ１７全体を制御する。
【００９４】
制御部９２は、表示部９４に各種の画像（文字を含む）を表示させる。
【００９５】
蓄積部９３は、制御部９２から供給されたデータを蓄積して、蓄積されているデータを制御部９２に供給する。
【００９６】
表示部９４は、液晶表示装置などからなり、制御部９２の制御に基づいて、各種の画像を表示する。入力部９５は、ボタンまたはスイッチなどからなり、使用者の操作に対応する信号を制御部９２に供給する。
【００９７】
赤外線通信部９６は、赤外線を介して、他の機器と制御信号を通信する。赤外線通信部９６は、赤外線を介して、他の機器から送信されてきた制御信号を受信して、受信した制御信号を制御部９２に供給する。赤外線通信部９６は、制御部９２の制御の基に、赤外線を介して、他の機器に制御信号を送信する。
【００９８】
MDR１４は、パーソナルリモートコントローラ１７の機能を内蔵することができる。
【００９９】
図７は、パーソナルリモートコントローラ１７の機能を内蔵するMDR１０１の構成の例を示すブロック図である。近接通信部１１１は、近接通信を介して、IDデバイス１５から供給された認証データ（個人IDを含む）を受信して、受信した認証データを近接通信制御部１１２に供給する。近接通信部１１１は、近接通信制御部１１２から供給された認証データを、近接通信を介して、IDデバイス１５に供給する。
【０１００】
近接通信制御部１１２は、近接通信部１１１の通信を制御する。近接通信制御部１１２は、近接通信部１１１から供給された認証データを認証処理部１１３に供給すると共に、認証処理部１１３から供給された認証の結果を示すデータを近接通信部１１１に供給する。
【０１０１】
認証処理部１１３は、使用者の操作に対応した入出力部１１４からの信号、および受信した認証データを基に、認証の処理を実行して、認証の処理の結果を示すデータを近接通信制御部１１２に供給する。認証処理部１１３は、認証の処理の結果を入出力部１１４に表示させる。認証処理部１１３は、認証の処理の結果を制御部１１６を介して、蓄積部１１７に蓄積させる。
【０１０２】
また、認証処理部１１３は、認証の処理の結果を基に、処理の継続または停止を制御部１１６に指示する。
【０１０３】
入出力部１１４は、使用者の操作に対応した指示を入力するためのボタン若しくはスイッチ、または処理結果を表示するための液晶表示装置などからなる。
【０１０４】
通信部１１５は、無線およびLAN１１を介して、他の機器とデータを通信する。通信部１１５は、無線およびLAN１１を介して、他の機器から送信されてきたデータを受信して、受信したデータを制御部１１６に供給する。通信部１１５は、制御部１１６から供給されたデータを、無線およびLAN１１を介して、他の機器に送信する。
【０１０５】
通信部１１５は、さらに、無線を介して、リモートコントローラ送受信装置２９−１乃至２９−３と通信する。通信部１１５は、無線を介して、リモートコントローラ送受信装置２９−１乃至２９−３から送信されてきたデータを受信して、受信したデータを制御部１１６に供給する。通信部１１５は、制御部１１６から供給されたデータを、無線を介して、リモートコントローラ送受信装置２９−１乃至２９−３に送信する。
【０１０６】
制御部１１６は、通信部１１５から供給された、受信したデータ、蓄積部１１７に蓄積されているデータ、または使用者の操作に対応した入力部１１９からの信号を基に、MDR１１６の全体を制御する。制御部１１６は、通信部１１５から供給されたデータを蓄積部１１７に蓄積させる。また、制御部１１６は、蓄積部１１７から、蓄積されているデータを読み出して、読み出したデータを通信部１１５に供給する。
【０１０７】
蓄積部１１７は、各種のデータを蓄積し、蓄積しているデータを制御部１１６に供給する。
【０１０８】
また、制御部１１６は、表示部１１８に各種の画像（文字を含む）を表示させる。表示部１１８は、液晶表示装置などからなり、制御部１１６の制御に基づいて、各種の画像を表示する。入力部１１９は、ボタンまたはスイッチなどからなり、使用者の操作に対応する信号を制御部１１６に供給する。
【０１０９】
赤外線通信部１２０は、赤外線を介して、他の機器と制御信号を通信する。赤外線通信部１２０は、赤外線を介して、他の機器から送信されてきた制御信号を受信して、受信した制御信号を制御部１１６に供給する。赤外線通信部１２０は、制御部１１６の制御の基に、赤外線を介して、他の機器に制御信号を送信する。
【０１１０】
なお、入出力部１１４、または表示部１１８および入力部１１９のいずれか一方のみを設けて、認証処理部１１３および制御部１１６に、使用者の操作に対応する信号を供給し、処理結果を表示するようにしてもよい。
【０１１１】
図８は、DVDプレーヤ２３の構成を示すブロック図である。DVD１３１は、DVD再生部１６１に装着される。DVD再生部１６１は、制御部１６２の制御の基に、装着されたDVD１３１に記録されているデータに対応する再生信号を生成して、再生信号を再生出力部１６３に供給する。
【０１１２】
制御部１６２は、DVDプレーヤ２３全体を制御する。
【０１１３】
再生出力部１６３は、制御部１６２の制御の基に、DVD再生部１６１から供給された再生信号を復号して、誤りを訂正するなどして、画像または音声の信号を生成して、生成した信号を出力するか、または通信部１６４に供給する。
【０１１４】
通信部１６４は、制御部１６２の制御の基に、LAN１１を介して、他の機器に、画像データまたは音声データを含むデータを供給する。また、通信部１６４は、LAN１１を介して、他の機器から送信されてきたデータを受信して、受信したデータを制御部１６２に供給する。
【０１１５】
蓄積部１６５は、制御部１６２の制御の基に、受信した各種のデータを蓄積し、蓄積している各種のデータを制御部１６２に供給する。
【０１１６】
赤外線通信部１６６は、パーソナルリモートコントローラ１７から送信されてきた赤外線を介した制御信号を受信して、受信した制御信号を制御部１６２に供給する。
【０１１７】
制御部１６２は、赤外線通信部１６６から制御信号が供給された場合、制御信号に対応する動作をDVDプレーヤ２３の各部に実行させる。
【０１１８】
図９は、HDDビデオレコーダ１９の構成を示すブロック図である。テレビジョンチューナ１８１は、テレビジョン放送局から放送される番組（電波）を受信して、テレビジョン放送の番組の画像データまたは音声データを復号し、復号した画像データまたは音声データをエンコーダ１８２に供給する。エンコーダ１８２は、制御部１８３の制御の基に、テレビジョンチューナ１８１から供給された画像データまたは音声データ、または通信部１８６から供給された、受信した画像データまたは音声データを、所定の符号化方式で符号化して、符号化された画像データまたは音声データをコンテンツ記録部１８４に供給する。
【０１１９】
制御部１８３は、蓄積部１８７に蓄積されているデータを基に、HDDビデオレコーダ１９の全体を制御する。
【０１２０】
コンテンツ記録部１８４は、ハードディスクなどからなり、制御部１８３の制御の基に、エンコーダ１８２から供給された、符号化されている画像データまたは音声データを記録する。コンテンツ記録部１８４は、制御部１８３の制御の基に、記録している画像データまたは音声データを読み出して、読み出した画像データまたは音声データをデコーダ１８５に供給する。
【０１２１】
デコーダ１８５は、制御部１８３の制御の基に、エンコーダ１８２における符号化方式に対応する方式で、画像データまたは音声データを復号して、復号された画像データまたは音声データを通信部１８６に供給する。
【０１２２】
通信部１８６は、制御部１８３の制御の基に、LAN１１を介して、他の機器から供給された画像データまたは音声データを受信して、受信した画像データまたは音声データをエンコーダ１８２に供給する。また、通信部１８６は、制御部１８３の制御の基に、デコーダ１８５から供給された画像データまたは音声データを、LAN１１を介して、他の機器に送信する。
【０１２３】
さらに、通信部１８６は、制御部１８３の制御の基に、LAN１１を介して、他の機器から供給された制御用のデータを受信して、受信したデータを制御部１８３に供給する。この場合、制御部１８３は、蓄積部１８７に制御用のデータを蓄積させる。
【０１２４】
赤外線通信部１８８は、赤外線を介して、他の機器と制御信号を通信する。赤外線通信部１８８は、赤外線を介して、他の機器から送信されてきた制御信号を受信して、受信した制御信号を制御部１８３に供給する。この場合、制御部１８３は、制御信号を基に、HDDビデオレコーダ１９の全体を制御する。赤外線通信部１８８は、制御部１８３の制御の基に、赤外線を介して、他の機器に制御信号を送信する。
【０１２５】
図１０は、スピーカ２２の構成を示すブロック図である。通信部１９１は、LAN１１を介して、他の機器から送信されてきたデータを受信して、受信したデータを制御部１９２またはオーディオ信号復号部１９４に供給する。通信部１９１は、制御部１９２から供給されたデータを、LAN１１を介して、他の機器に送信する。
【０１２６】
制御部１９２は、通信部１９１から供給された、受信したデータを蓄積部１９３に蓄積させる。制御部１９２は、通信部１９１から供給された、受信したデータ、または蓄積部１９３に蓄積されているデータを基に、スピーカ２２全体を制御する。
【０１２７】
蓄積部１９３は、制御部１９２から供給されたデータを蓄積して、蓄積されているデータを制御部１９２に供給する。
【０１２８】
オーディオ信号復号部１９４は、制御部１９２の制御の基に、通信部１９１から供給された音声データを復号して、その結果得られた音声信号を出力増幅部１９５に供給する。出力増幅部１９５は、制御部１９２の制御の基に、オーディオ信号復号部１９４から供給された音声信号を増幅して、増幅された音声信号によりスピーカユニット１９６を駆動して、スピーカユニット１９６に音声を出力させる。
【０１２９】
赤外線通信部１９７は、赤外線を介して、他の機器と制御信号を通信する。赤外線通信部１９７は、赤外線を介して、他の機器から送信されてきた制御信号を受信して、受信した制御信号を制御部１９２に供給する。この場合、制御部１９２は、制御信号を基に、スピーカ２２の全体を制御する。赤外線通信部１９７は、制御部１９２の制御の基に、赤外線を介して、他の機器に制御信号を送信する。
【０１３０】
次に、コンテンツ視聴システム１における、処理を説明する。
【０１３１】
周辺の空間、例えば、コンテンツ視聴システム１が設けられている住宅内に、コンテンツを処理する機器が新たに設置された場合、SDR１２に、新たに設置されたコンテンツを処理する機器の情報に関係する情報および処理されるコンテンツに関係する情報が登録される。
【０１３２】
次に、図１１のフローチャートを参照して、周辺の空間の一例である住宅内に、コンテンツを処理する機器の一例である、DVDプレーヤ２３が新たに設置された場合の登録の処理を説明する。
【０１３３】
ステップＳ１００１において、DVDプレーヤ２３の通信部１６４は、LAN１１を介して、DHCP（Dynamic Host Configuration Protocol）リクエストメッセージをブロードキャストする。LAN１１に接続されている他の機器は、DVDプレーヤ２３から送信されてくるDHCPリクエストメッセージを受信する。
【０１３４】
例えば、ステップＳ２００１において、SDR１２の通信部５１は、DVDプレーヤ２３から送信されてくるDHCPリクエストメッセージを受信する。ステップＳ３００１において、HDDビデオレコーダ１９の通信部１８６は、DVDプレーヤ２３から送信されてくるDHCPリクエストメッセージを受信する。ステップＳ４００１において、ルータ１８は、DVDプレーヤ２３から送信されてくるDHCPリクエストメッセージを受信する。
【０１３５】
DHCPサーバではなく、DHCPサーバとしての機能を有しないSDR１２の通信部５１およびHDDビデオレコーダ１９の通信部１８６は、受信したDHCPリクエストメッセージを破棄するが、ルータ１８は、DHCPサーバとしての機能を有するので、ステップＳ４００２において、LAN１１を介して、DVDプレーヤ２３に、使用可能なIP（Internet Protoco）アドレスを指定するDHCPレスポンスを送信する。
【０１３６】
ステップＳ１００２において、DVDプレーヤ２３の通信部１６４は、ルータ１８から送信されてきた、DHCPレスポンスを受信して、DHCPレスポンスで指定される、自分のIPアドレスを設定する。
【０１３７】
ステップＳ１００３において、DVDプレーヤ２３の通信部１６４は、LAN１１を介して、予め方式が定められているSDR探索メッセージをブロードキャストする。LAN１１に接続されている他の機器は、DVDプレーヤ２３から送信されてくるSDR探索メッセージを受信する。
【０１３８】
例えば、ステップＳ２００２において、SDR１２の通信部５１は、DVDプレーヤ２３から送信されてくるSDR探索メッセージを受信する。ステップＳ３００２において、HDDビデオレコーダ１９の通信部１８６は、DVDプレーヤ２３から送信されてくるSDR探索メッセージを受信する。ステップＳ４００３において、ルータ１８は、DVDプレーヤ２３から送信されてくるSDR探索メッセージを受信する。
【０１３９】
SDR１２以外の機器、例えば、HDDビデオレコーダ１９の通信部１８６またはルータ１８は、受信したSDR探索メッセージを破棄するが、SDR１２の通信部５１は、ステップＳ２００３において、LAN１１を介して、DVDプレーヤ２３に、応答メッセージを送信する。
【０１４０】
ステップＳ１００４において、DVDプレーヤ２３の通信部１６４は、SDR１２から送信されてくる応答メッセージを受信する。応答メッセージには、SDR１２のIPアドレスが含まれているので、ステップＳ１００５において、DVDプレーヤ２３の通信部１６４は、応答メッセージを制御部１６２に供給する。そして、制御部１６２は、応答メッセージから、SDR１２のIPアドレスを抽出して、蓄積部１６５に記憶させる。
【０１４１】
このように、蓄積部１６５にSDR１２のIPアドレスが記憶されるので、DVDプレーヤ２３は、この処理の後、新たにDVD１３１が装着された場合など、SDR１２にLAN１１を介してデータを送信することができるようになる。
【０１４２】
ステップＳ１００６において、制御部１６２は、DVD再生部１６１に装着されているDVD１３１から、DVD１３１に記録されているコンテンツに関する情報を読み出して、また、蓄積部１６５から蓄積されている自分に関するデータを読み出して、機能サービスリストを生成する。
【０１４３】
例えば、制御部１６２は、DVD再生部１６１に、装着されているDVD１３１から、DVD１３１に記録されているコンテンツに関係する情報であるコンテンツ情報を読み取らせ、コンテンツ情報に対応した再生信号を再生出力部１６３に供給させる。制御部１６２は、再生出力部１６３に、DVD再生部１６１から供給された再生信号をデコードさせて、復号された結果を制御部１６２に供給させる。
【０１４４】
また、例えば、制御部１６２は、蓄積部１６５から蓄積されている、自分の機種種別、機種名、および自分を制御するための制御信号を生成するためのコマンドを読み出す。
【０１４５】
そして、制御部１６２は、DVD１３１から読み出したコンテンツに関係する情報、および蓄積部１６５から読み出した自分に関係する情報を基に、機能サービスリストを生成する。
【０１４６】
制御部１６２は、生成した機能サービスリストを通信部１６４に供給する。
【０１４７】
ステップＳ１００７において、通信部１６４は、制御部１６２の制御の基に、LAN１１を介して、SDR１２に機能サービスリストを送信する。
【０１４８】
図１２は、DVDプレーヤ２３がSDR１２に送信する機能サービスリストの例を説明する図である。
【０１４９】
図１２で示される機能サービスリストの例は、XML（eXtensible Mark-up Language）方式で記述されている。
【０１５０】
XML方式において、ドキュメントの要素として、タグが利用される。タグは、”＜”、タグ名、および”＞”で構成されるか、または”＜”、タグ名、および”／＞”で構成される。”＜”、タグ名、および”＞”は、開始タグと称し、”＜”、タグ名、および”／＞”は、終了タグと称する。
【０１５１】
開始タグと、終了タグとの間に、そのタグの対象となるテキストが配置される。
【０１５２】
また、”＜！”、タグ名、および”＞”で構成されるタグは、コメントである。
【０１５３】
図１２で示される機能サービスリストの最初の行には、図１２で示される機能サービスリストがXML方式のバージョン1.0で記述されることを示すタグが配置されている。
【０１５４】
次に、機種種別タグの開始タグと終了タグとの間に、DVDプレーヤ２３の機種種別がDVDプレーヤであることを示すテキスト”DVDプレーヤ”が配置されている。
【０１５５】
図１２で示される機能サービスリストにおいて、機種種別タグに続いて、機種名タグが配置される。機種名タグの開始タグと終了タグとの間に、DVDプレーヤ２３の機種名がDVDP-1であることを示すテキスト”DVDP-1”が配置されている。
【０１５６】
図１２で示される機能サービスリストにおいて、機種名タグに続いて、機能タグが配置されている。機能タグには、コンテンツ処理装置であるDVDプレーヤ２３の機能が記述される。図１２で示される機能サービスリストの機能タグは、さらに、DVDプレーヤ２３が再生機能を持つことを示す再生タグおよび停止タグからなる。
【０１５７】
それぞれの機能に対応して、コマンドタグが配置される。
【０１５８】
機能タグに、再生のコマンドが”0x0001”であることを示すコマンドタグが配置されている。さらに、機能タグに、停止のコマンドが”0x0002”であることを示すコマンドタグが配置されている。
【０１５９】
図１２で示される機能サービスリストにおいて、機能タグに続いて、コンテンツタグが配置されている。コンテンツタグには、DVDプレーヤ２３に装着されているDVD１３１に記録されているコンテンツに関係する情報が記述されている。
【０１６０】
例えば、コンテンツタグの最初には、コンテンツの種別を示す、種別タグが配置されている。例えば、図１２で示される機能サービスリストにおいて、コンテンツが楽曲であることを示す”楽曲”のテキストが、種別タグの開始タグと終了タグとの間に配置されている。
【０１６１】
種別タグに続いて、コンテンツ名タグが配置される。図１２で示される機能サービスリストにおいて、コンテンツの名前が”サイレンスオブサウンド”であることを示すコンテンツ名タグが配置されている。また、コンテンツ名タグに続いて、コンテンツの全再生時間を示すコンテンツ時間タグが配置される。図１２で示される機能サービスリストにおいて、全再生時間が２時間２３分１４秒であることを示すコンテンツ時間タグが配置されている。
【０１６２】
さらに、コンテンツタグには、コンテンツのジャンルを示すジャンルタグが配置され、アーティスト名を示すアーティストタグが配置されている。
【０１６３】
DVDプレーヤ２３と同様に、モニタ２１、スピーカ２２、DVDレコーダ２４、テレビジョンチューナ２５、チューナ２６、オーディオアンプ２７、マルチスピーカ２８、HDDビデオレコーダ１９は、設置されたとき、それぞれ、機能サービスリストをSDR１２に送信する。
【０１６４】
図１３は、HDDビデオレコーダ１９がSDR１２に送信する機能サービスリストの例を説明する図である。
【０１６５】
図１３で示される機能サービスリストの機種種別タグに、HDDビデオレコーダ１９がHDDビデオレコーダであることを示すテキスト”HDDレコーダ”が配置されている。
【０１６６】
図１３で示される機能サービスリストにおいて、機種名タグに、HDDビデオレコーダ１９の機種名がHDDR-1であることを示すテキスト”HDDR-1”が配置されている。
【０１６７】
図１３で示される機能サービスリストの機能タグは、さらに、HDDR-1が再生機能を持つことを示す再生タグ、停止タグ、録画機能を持つことを示す録画タグを含む。
【０１６８】
機能タグに、再生のコマンドが”0x0001”であることを示すコマンドタグが配置されている。また、機能タグに、停止のコマンドが”0x0002”であることを示すコマンドタグが配置されている。さらに、機能タグに、録画のコマンドが”0x0003”であることを示すコマンドタグが配置されている。
【０１６９】
図１３で示される機能サービスリストにおいて、機能タグに続いて、コンテンツタグが配置されている。コンテンツタグには、HDDビデオレコーダ１９に記録されているコンテンツに関係する情報が記述されている。
【０１７０】
例えば、コンテンツタグの最初には、コンテンツの種別を示す、種別タグが配置されている。例えば、図１３で示される機能サービスリストにおいて、コンテンツが映画であることを示す”映画”のテキストが、種別タグの開始タグと終了タグとの間に配置されている。
【０１７１】
種別タグに続いて、コンテンツ名タグが配置される。図１３で示される機能サービスリストにおいて、コンテンツの名前が”ハウスアローン３”であることを示すコンテンツ名タグが配置されている。また、コンテンツ名タグに続いて、コンテンツの全再生時間が２時間０３分２３秒であることを示すコンテンツ時間タグが配置されている。
【０１７２】
さらに、コンテンツタグには、コンテンツのジャンルを示すジャンルタグが配置され、アーティスト名を示すアーティストタグが配置されている。
【０１７３】
図１１に戻り、ステップＳ２００４において、SDR１２の通信部５１は、DVDプレーヤ２３から送信されてきた機能サービスリストを受信し、受信した機能サービスリストを処理部５２に供給する。ステップＳ２００５において、処理部５２は、受信した機能サービスリストを蓄積部５３に蓄積されている機能情報テーブルに登録する。
【０１７４】
図１４は、SDR１２の蓄積部５３に蓄積されている機能情報テーブルの例を示す図である。
【０１７５】
機能情報テーブルには、コンテンツを処理する装置毎に、IPアドレス、機器種別、機器名、機能および機能コマンド、並びにコンテンツに関係するデータが格納されている。
【０１７６】
例えば、図１４で示される機能情報テーブルにおいて、DVDプレーヤである機器種別の、DVDP-1である機器名に対応して、"192.168.3.3"であるIPアドレス、”0x0001”である再生コマンド、”0x0002”である停止コマンドが格納されている。
【０１７７】
ここで、機能情報テーブルのIPアドレスとして、機能サービスリストに添付されてきたIPアドレスが格納される。機能情報テーブルの機器種別として、機能サービスリストの機種種別が格納される。機能情報テーブルの機器名として、機能サービスリストの機種名が格納される。
【０１７８】
また、例えば、図１４で示される機能情報テーブルにおいて、DVDプレーヤである機器種別の、DVDP-2である機器名に対応して、"192.168.3.7"であるIPアドレス、”0x0001”である再生コマンド、”0x0002”である停止コマンドが格納される。
【０１７９】
図１４で示される機能情報テーブルにおいて、DVDP-2である機器名に対応して、コンテンツに関係するデータとして、”サイレンスオブサウンド”であるコンテンツ名、”楽曲ポップス”であるジャンル、”２時間２３分１４秒”である時間、”ガイモンとサーファンクル”である関連人名が格納されている。
【０１８０】
さらに、例えば、HDDレコーダである機器種別の、HDDR-1である機器名に対応して、"192.168.3.10"であるIPアドレス、”0x0001”である再生コマンド、”0x0002”である停止コマンド、および”0x0003”である保存コマンドが格納される。
【０１８１】
ここで、機能情報テーブルの保存コマンドとして、機能サービスリストに添付されてきた録画コマンドが格納される。
【０１８２】
図１４で示される機能情報テーブルにおいて、HDDR-1である機器名に対応して、２つのコンテンツに関係するデータが格納されている。第１のコンテンツに関係するデータとして、”ハウスアローン３”であるコンテンツ名、”映画コメディー”であるジャンル、”２時間３分２３秒”である時間、”オレックス・ヘンツ”である関連人名、”日本語／英語”である保存音声、および”ジョン”である保存操作ユーザ名が格納されている。
【０１８３】
なお、機能情報テーブルの保存操作ユーザ名として、機能サービスリストに記述されている、コンテンツに関係する情報に含まれている記録ユーザ名が格納される。
【０１８４】
第２のコンテンツに関係するデータとして、”日曜サスペンス劇場”であるコンテンツ名、”TVドラマ”であるジャンル、”１時間２０分５６秒”である時間、”山田太郎”である関連人名、および”ジョン”である保存操作ユーザ名が格納されている。
【０１８５】
さらに、例えば、テレビジョン受像器である機器種別の、TV-1である機器名に対応して、"192.168.3.12"であるIPアドレス、”0x0001”である表示コマンド、”0x0002”であるDVDP-1の入力を選択するコマンド、および”0x0003”であるHDDR-1の入力を選択するコマンドが格納される。また、TV-1である機器名に対応して、居間２０である機器の設置場所を示すデータが格納される。
【０１８６】
また、例えば、テレビジョン受像器である機器種別の、TV-2である機器名に対応して、"192.168.3.13"であるIPアドレス、”0x0001”である表示コマンド、”0x0002”であるDVDP-1の入力を選択するコマンド、および”0x0003”であるHDDR-1の入力を選択するコマンドが格納される。また、TV-2である機器名に対応して、寝室３０である機器の設置場所を示すデータが格納される。
【０１８７】
再度、図１１に戻り、ステップＳ２００５における登録の処理が完了すると、ステップＳ２００６において、処理部５２は、登録完了メッセージを生成して、通信部５１に供給する。通信部５１は、LAN１１を介して、登録完了メッセージをDVDプレーヤ２３に送信する。
【０１８８】
ステップＳ１００８において、DVDプレーヤ２３の通信部１６４は、SDR１２から送信されてくる登録完了メッセージを受信する。通信部１６４は、登録完了メッセージを制御部１６２に供給して、処理は終了する。
【０１８９】
このように、DVDプレーヤ２３が新たに設置された場合、SDR１２に、新たに設置されたコンテンツを処理する機器に関係する情報およびこれらの機器によって処理されるコンテンツに関係する情報である機能サービスリストが登録される。
【０１９０】
従って、SDR１２は、周辺の領域に配置されている、コンテンツを処理する機器に関係する情報、およびこれらの機器によって処理されるコンテンツに関係する情報を一括して記録し、他の装置の要求に応じて、これらの情報を提供することができる。
【０１９１】
次に、図１５を参照して、DVDプレーヤ２３にDVD１３１が装着された場合の機能情報テーブルの更新の処理を説明する。DVDプレーヤ２３にDVD１３１が装着されると、ステップＳ１１０１において、制御部１６２は、DVD再生部１６１に、装着されたDVD１３１から、DVD１３１に記録されているコンテンツに関係する情報であるコンテンツ情報を読み取らせ、コンテンツ情報に対応した再生信号を再生出力部１６３に供給させる。制御部１６２は、再生出力部１６３に、DVD再生部１６１から供給された再生信号をデコードさせて、復号された結果を制御部１６２に供給させる。
【０１９２】
ステップＳ１１０２において、制御部１６２は、ステップＳ１１０１の処理で読み出されたコンテンツに関係する情報、および蓄積部１６５から蓄積されている自分に関するデータを基に、機能サービスリストを生成する。
【０１９３】
ステップＳ１１０３およびステップＳ１１０４、並びにステップＳ２１０１乃至ステップＳ２１０３の処理のそれぞれは、図１１のステップＳ１００７およびステップＳ１００８、並びにステップＳ２００４乃至ステップＳ２００６の処理のそれぞれと同様なので、その説明は省略する。
【０１９４】
このように、DVDプレーヤ２３にDVD１３１が装着された場合、装着されているDVD１３１に記録されているコンテンツに関係する情報が登録されるように、機能情報テーブルが更新される。
【０１９５】
次に、SDR１２の登録および提供の処理を図１６のフローチャートを参照して、説明する。ステップＳ１１において、通信部５１は、LAN１１を介して、コンテンツを処理する機器またはMDR１４から送信されてくるメッセージまたは機能サービスリストを受信する。通信部５１は、受信したデータである、メッセージまたは機能サービスリストを処理部５２に供給する。
【０１９６】
ステップＳ１２において、処理部５２は、SDR探索メッセージを受信したか否かを判定し、SDR探索メッセージを受信したと判定された場合、ステップＳ１３に進み、通信部５１に、LAN１１を介して、応答メッセージを相手に送信させて、ステップＳ１１に戻り、登録および提供の処理を繰り返す。
【０１９７】
ステップＳ１２において、SDR探索メッセージを受信していないと判定された場合、ステップＳ１４に進み、処理部５２は、機能サービスリストを受信したか否かを判定する。ステップＳ１４において、機能サービスリストを受信したと判定された場合、ステップＳ１５に進み、処理部５２は、受信した機能サービスリストに含まれる情報を、蓄積部５３に蓄積されている機能情報テーブルに追加することにより、機能サービスリストを機能情報テーブルに登録して、ステップＳ１１に戻り、登録および提供の処理を繰り返す。
【０１９８】
ステップＳ１４において、機能サービスリストを受信していないと判定された場合、ステップＳ１６に進み、処理部５２は、周辺機器情報要求メッセージを受信したか否かを判定する。ステップＳ１６において、周辺機器情報要求メッセージを受信したと判定された場合、ステップＳ１７に進み、処理部５２は、蓄積部５３に蓄積されている機能情報テーブルから周辺機器情報を生成する。ステップＳ１８において、処理部５２は、通信部５１に、LAN１１を介して、生成した周辺機器情報をMDR１４に送信させて、ステップＳ１１に戻り、登録および提供の処理を繰り返す。
【０１９９】
ステップＳ１６において、周辺機器情報要求メッセージを受信していないと判定された場合、周辺機器情報を送信する必要はないので、ステップＳ１７およびステップＳ１８の処理はスキップされ、ステップＳ１１に戻り、登録および提供の処理を繰り返す。
【０２００】
このように、SDR１２は、周辺の領域に配置されている、コンテンツを処理する機器から機能サービスリストが送信されてきた場合、機能サービスリストに含まれる情報を機能情報テーブルに追加することにより、コンテンツを処理する機器に関する情報またはその機器が取り扱うコンテンツに関する情報を登録する。
【０２０１】
また、SDR１２は、MDR１４から要求された場合、機能情報テーブルから、周辺の領域に配置されている機器に関する情報およびコンテンツに関係する情報を含む周辺機器情報を生成して、LAN１１を介して、MDR１４に送信する。
【０２０２】
次に、図１７乃至図１９のフローチャートを参照して、使用者に対応する個人情報の取得の処理を説明する。ステップＳ１２０１において、MDR１４の近接通信部７１は、IDデバイス１５が近接されたことを検知するためのポーリングの処理を実行する。例えば、ステップＳ１２０１において、近接通信部７１は、FeliCa（商標）などの近接IDカードであるIDデバイス１５が受信すると、IDデバイス１５が電力を取得し、起動することができる、所定の周波数の電波を放射することにより、ポーリングの処理を実行する。
【０２０３】
ステップＳ２２０１において、IDデバイス１５の近接通信部８１は、ステップＳ１２０１におけるポーリングの処理によって放射された電波を受信して、電力を取得し、IDデバイス１５の各部に供給することにより、IDデバイス１５を起動させる。
【０２０４】
ステップＳ２２０２において、IDデバイス１５の近接通信制御部８２は、近接通信部８１に、IDデバイス１５の固有の情報を含む応答メッセージをMDR１４宛てに送信させる。IDデバイス１５の固有の情報は、例えば、カードIDである。
【０２０５】
ステップＳ１２０２において、MDR１４の近接通信部７１は、IDデバイス１５から送信されてきた応答メッセージを受信して、近接通信制御部７２に供給する。近接通信制御部７２は、IDデバイス１５からの応答メッセージであるか否かを判定して、応答メッセージであると判定された場合、ステップＳ１２０３に進み、認証処理部７３は、IDデバイス１５と認証する。これに対応して、ステップＳ２２０３において、IDデバイス１５の認証処理部８３は、MDR１４と認証する。
【０２０６】
例えば、ステップＳ１２０３およびステップＳ２２０３の処理において、チャレンジアンドレスポンス方式により、所定のデータを相互に送受信することにより、お互いに相手を認証する。
【０２０７】
ステップＳ１２０３およびステップＳ２２０３の処理において、相手を認証しない場合、すなわち、IDデバイス１５およびMDR１４のいずれかが、相手が正当でないと判定した場合、以下の処理は、実行されず、処理は終了する。
【０２０８】
ステップＳ１２０３およびステップＳ２２０３の処理において、相手を認証した場合、すなわち、IDデバイス１５およびMDR１４が、相手が正当であると判定した場合、MDR１４の近接通信制御部７２が、近接通信部７１に、IDデバイス１５の固有の情報を基に、IDデバイス１５の蓄積部８４の個人情報領域から、個人IDおよびPDR１３の位置情報を読み出させるコマンドをIDデバイス１５宛てに送信させるので、ステップＳ２２０４において、IDデバイス１５の近接通信制御部８２は、認証処理部８３を介して、蓄積部８４から、予め記憶されている個人IDおよびPDR１３の位置情報を取得して、近接通信部８１に、個人IDおよびPDR１３の位置情報をMDR１４宛てに送信させる。
【０２０９】
ここで、IDデバイス１５に予め記憶されている個人IDは、IDデバイス１５を所有する使用者を特定する個人特定情報である。例えば、PDR１３の位置情報は、PDR１３のIPアドレスまたはドメインネームなどである。
【０２１０】
ステップＳ１２０４において、MDR１４の近接通信部７１は、近接通信によって、IDデバイス１５から送信されてくる、個人IDおよびPDR１３の位置情報を受信し、受信した個人IDおよびPDR１３の位置情報を近接通信制御部７２に供給する。近接通信制御部７２は、認証処理部７３を介して、個人IDおよびPDR１３の位置情報を制御部７６に供給する。
【０２１１】
ステップＳ１２０５において、制御部７６は、通信部７５に、無線LANまたはbluetoothなどの規格に基づく通信を介して、所定のメッセージを送信させて、無線の局を探索させる。
【０２１２】
ステップＳ３２０１において、無線LANアクセスポイント１６は、MDR１４から局を探索するメッセージを受信したとき、応答のメッセージをMDR１４に送信する。
【０２１３】
ステップＳ１２０６において、MDR１４の通信部７５は、無線LANアクセスポイント１６から送信されてきた応答のメッセージを受信して、制御部７６に応答のメッセージを供給する。ステップＳ１２０７において、制御部７６は、通信部７５に、無線LANアクセスポイント１６宛てに所定のメッセージを送信させることにより、無線LANアクセスポイント１６のサービスを探索させる。
【０２１４】
ステップＳ３２０２において、無線LANアクセスポイント１６は、MDR１４からサービスを探索するメッセージを受信したとき、サービス探索の応答のメッセージをMDR１４に送信する。
【０２１５】
ステップＳ１２０８において、MDR１４の通信部７５は、無線LANアクセスポイント１６から送信されてきたサービス探索の応答のメッセージを受信して、制御部７６にサービス探索の応答のメッセージを供給する。制御部７６は、サービス探索の応答メッセージを取得することにより、無線LANアクセスポイント１６の機能（サービス）を知ることができる。
【０２１６】
ステップＳ１２０９において、制御部７６は、ステップＳ１２０４の処理で取得したPDR１３の位置情報を基に、通信部７５に、個人IDをPDR１３宛てに送信させる。
【０２１７】
ステップＳ３２０３において、無線LANアクセスポイント１６は、MDR１４から送信されてきた個人IDをPDR１３に中継する。すなわち、無線LANアクセスポイント１６は、無線を介して、MDR１４から送信されてきた個人IDを受信して、LAN１１を介して、個人IDをPDR１３宛てに送信する。
【０２１８】
ステップＳ４２０１において、PDR１３の通信部６１は、LAN１１および無線を介して、MDR１４から送信され、無線LANアクセスポイント１６によって中継されてきた、個人IDを受信する。通信部６１は、個人IDを制御部６２および認証処理部６４に供給する。ステップＳ４２０２において、認証処理部６４は、認証データを生成して、通信部６１に供給し、通信部６１は、認証データをLAN１１を介して、MDR１４宛てに送信する。
【０２１９】
例えば、ステップＳ４２０２において、通信部６１は、IDデバイス１５でのみ照合することができる、個人IDに対応する認証データをLAN１１を介して、MDR１４宛てに送信する。この場合、より詳細には、認証データは、IDデバイス１５がFeliCa（商標）などの近接IDカードである場合、Auth1コマンドとすることができる。
【０２２０】
ステップＳ３２０４において、無線LANアクセスポイント１６は、PDR１３から送信されてきた認証データをMDR１４に中継する。すなわち、無線LANアクセスポイント１６は、LAN１１を介して、PDR１３から送信されてきた認証データを受信して、無線を介して、認証データをMDR１４宛てに送信する。
【０２２１】
ステップＳ１２１０において、MDR１４の通信部７５は、LAN１１および無線を介して、PDR１３から送信され、無線LANアクセスポイント１６によって中継されてきた、認証データを受信する。通信部７５は、認証データを制御部７６に供給する。制御部７６は、認証データをさらに認証処理部７３に供給する。
【０２２２】
ステップＳ１２１１において、認証処理部７３は、近接通信制御部７２を指示して、近接通信部７１に、近接通信を介して、IDデバイス１５宛てに、認証コマンドを送信させる。例えば、近接通信制御部７２は、近接通信部７１に、近接通信を介して、データ通信用の汎用コマンドによって、認証データをそのままIDデバイス１５宛てに送信させる。より詳細には、IDデバイス１５がFeliCa（商標）などの近接IDカードである場合、汎用コマンドは、Auth1コマンドを送信するdumbコマンドとすることができる。
【０２２３】
ステップＳ２２０５において、IDデバイス１５の近接通信部８１は、近接通信を介して、MDR１４から送信されてくる認証コマンドを受信する。近接通信部８１は、近接通信制御部８２を介して、認証コマンドを認証処理部８３に供給する。
【０２２４】
ステップＳ２２０６において、認証処理部８３は、認証コマンドに対するレスポンスを生成する。すなわち、レスポンスは、PDR１３から送信されてきた認証データに対するレスポンスである。例えば、IDデバイス１５がFeliCa（商標）などの近接IDカードである場合、レスポンスは、Auth1レスポンスとすることができる。認証処理部８３は、生成したレスポンスを近接通信制御部８２に供給する。
【０２２５】
ステップＳ２２０７において、近接通信制御部８２は、近接通信部８１に、近接通信を介して、MDR１４宛てにレスポンスを送信させる。例えば、近接通信部８１は、汎用コマンドであるdumbコマンドの結果として、MDR１４宛てにAuth1レスポンスを送信することができる。
【０２２６】
ステップＳ１２１２において、MDR１４の近接通信部７１は、IDデバイス１５から送信されてくるレスポンスを受信する。近接通信部７１は、受信したレスポンスを近接通信制御部７２に供給する。
【０２２７】
ステップＳ１２１２において、近接通信制御部７２は、受信したレスポンスを検査して、エラーが無ければ、すなわち、他のIDデバイス１５が送信した個人IDに対する認証コマンドで無ければ、レスポンスを認証処理部７３を介して、制御部７６に供給する。例えば、近接通信制御部７２は、汎用コマンドであるdumbコマンドの結果としてのAuth1レスポンスにエラーが無ければ、Auth1レスポンスを認証処理部７３を介して、制御部７６に供給する。
【０２２８】
ステップＳ１２１３において、制御部７６は、通信部７５に、無線を介して、レスポンスデータをPDR１３宛てに送信させる。例えば、通信部７５は、Auth1レスポンスをそのままレスポンスデータとして、無線を介して、PDR１３宛てに送信する。
【０２２９】
ステップＳ３２０５において、無線LANアクセスポイント１６は、MDR１４から送信されてきたレスポンスデータをPDR１３に中継する。すなわち、無線LANアクセスポイント１６は、無線を介して、MDR１４から送信されてきたレスポンスデータを受信して、LAN１１を介して、レスポンスデータをPDR１３宛てに送信する。
【０２３０】
ステップＳ４２０３において、PDR１３の通信部６１は、LAN１１および無線を介して、MDR１４から送信され、無線LANアクセスポイント１６によって中継されてきた、レスポンスデータを受信する。制御部６２は、通信部６１に、受信したレスポンスデータを認証処理部６４に供給させる。
【０２３１】
ステップＳ４２０４において、認証処理部６４は、ステップＳ４２０２の処理において生成した認証データ、および受信したレスポンスデータを基に、認証の判定の処理を実行する。例えば、ステップＳ４２０２およびステップＳ４２０４の認証の処理は、チャレンジアンドレスポンス方式とすることができる。
【０２３２】
ステップＳ４２０４の処理によって、PDR１３は、IDデバイス１５およびMDR１４が正しい相手であると認める、すなわち、IDデバイス１５およびMDR１４を認証する。
【０２３３】
ステップＳ４２０４の処理において、IDデバイス１５およびMDR１４を認証しない場合、すなわち、PDR１３が、IDデバイス１５およびMDR１４のいずれかが正当でないと判定した場合、以下の処理は、実行されず、処理は終了する。
【０２３４】
ステップＳ４２０４の処理において、IDデバイス１５およびMDR１４を認証した場合、すなわち、PDR１３が、IDデバイス１５およびMDR１４のいずれかも正当であると判定した場合、ステップＳ４２０５に進み、認証処理部６４は、認証結果のデータを生成して、通信部６１に供給し、通信部６１は、認証結果のデータをLAN１１を介して、MDR１４宛てに送信する。
【０２３５】
ステップＳ３２０６において、無線LANアクセスポイント１６は、PDR１３から送信されてきた認証結果のデータをMDR１４に中継する。
【０２３６】
ステップＳ１２１４において、MDR１４の通信部７５は、LAN１１および無線を介して、PDR１３から送信され、無線LANアクセスポイント１６によって中継されてきた、認証結果のデータを受信する。通信部７５は、認証結果のデータを制御部７６に供給する。認証結果のデータを基に、認証されたことを認識した制御部７６は、個人情報の初期化を実行するために、ステップＳ１２１５において、制御部７６は、ステップＳ１２０４の処理で取得したPDR１３の位置情報を基に、通信部７５に、個人IDと共に、個人情報の要求をPDR１３宛てに送信させる。
【０２３７】
ステップＳ３２０７において、無線LANアクセスポイント１６は、MDR１４から送信されてきた個人IDおよび個人情報の要求をPDR１３に中継する。
【０２３８】
ステップＳ４２０６において、PDR１３の通信部６１は、無線およびLAN１１を介して、MDR１４から送信され、無線LANアクセスポイント１６によって中継されてきた、個人IDおよび個人情報の要求を受信する。通信部６１は、個人IDおよび個人情報の要求を制御部６２に供給する。ステップＳ４２０７において、制御部６２は、個人IDを基に、蓄積部６３に蓄積されている個人情報のうち、個人IDで特定される個人情報を選択する。
【０２３９】
なお、PDR１３は、ステップＳ４２０１の処理で受信した個人IDを基に、個人情報を選択するようにしてもよい。この場合、MDR１４は、ステップＳ１２１５において、個人情報の要求のみを送信する。
【０２４０】
ステップＳ４２０８において、制御部６２は、選択された個人情報を通信部６１に供給し、通信部６１は、個人情報をLAN１１を介して、MDR１４宛てに送信する。
【０２４１】
ステップＳ３２０８において、無線LANアクセスポイント１６は、PDR１３から送信されてきた個人情報をMDR１４に中継する。
【０２４２】
ステップＳ１２１６において、MDR１４の通信部７５は、LAN１１および無線を介して、PDR１３から送信され、無線LANアクセスポイント１６によって中継されてきた、個人情報を受信する。通信部７５は、個人情報を制御部７６に供給する。制御部７６は、個人情報を蓄積部７７に蓄積させる。
【０２４３】
このように、MDR１４は、IDデバイス１５に記憶されている個人IDによって特定される個人の個人情報をPDR１３から取得することができる。
【０２４４】
なお、蓄積部７７に蓄積されている個人情報は、予め定めた時間が経過したのち、消去される。すなわち、制御部７６は、図示せぬ内蔵されているカウンタを基に、予め定めた時間を経過したか否か、すなわち、タイムアウトしたか否かを判定して、タイムアウトしたと判定された場合、蓄積部７７に蓄積されている個人情報を消去する。
【０２４５】
図２０は、MDR１４がPDR１３から取得する１人の個人に対する個人情報の例を示す図である。図２０で示される個人情報は、図１２で示される機能サービスリストと同様に、XML方式で記述されている。
【０２４６】
図２０で示される個人情報の最初の行には、図２０で示される個人情報がXML方式のバージョン1.0で記述されることを示すタグが配置されている。
【０２４７】
次に、名前タグに、使用者の名前がジョンであることを示すテキスト”ジョン”が配置されている。
【０２４８】
図２０で示される個人情報において、名前タグに続いて、利用ビデオ機器タグが配置される。利用ビデオ機器タグは、その使用者に使用される、コンテンツを再生するか、またはコンテンツを記録する機器を示す。図２０で示される個人情報において、利用ビデオ機器タグに、使用者に使用される、コンテンツを処理する機器の名前がHDDR-1であることを示すテキスト”HDDR-1”が配置されている。
【０２４９】
さらに、利用ビデオ機器タグに続いて、利用テレビジョンタグが配置される。利用テレビジョンタグは、その使用者に使用される、テレビジョン受像器を示す。図２０で示される個人情報において、２つの利用テレビジョンタグが配置されている。
【０２５０】
初めの利用テレビジョンタグに、使用者に使用される、コンテンツを表示するテレビジョン受像器の名前がTV-1であることを示すテキスト”TV-1”が配置されている。２番目の利用テレビジョンタグに、使用者に使用される、コンテンツを表示するテレビジョン受像器の名前がTV-2であることを示すテキスト”TV-2”が配置されている。
【０２５１】
さらに、利用テレビジョンタグに続いて、利用音声選択タグが配置される。利用音声選択タグは、使用者が選択している音声を示す。図２０で示される個人情報において、利用音声選択タグに、使用者が選択している音声が英語であることを示すテキスト”英語”が配置されている。
【０２５２】
次に、使用者に対応する個人情報の取得の処理における、MDR１４の個人情報の取得の処理の詳細を、図２１のフローチャートを参照して説明する。ステップＳ３１において、MDR１４の近接通信部７１は、IDデバイス１５が近接されたことを検知するための、近接通信のポーリング信号を送信する。例えば、ステップＳ３１において、近接通信部７１は、FeliCa（商標）などの近接IDカードであるIDデバイス１５に、電力を供給する、所定の周波数の電波の、近接通信のポーリング信号を送信する。
【０２５３】
IDデバイス１５は、ポーリング信号を受信すると、起動して、応答メッセージを送信してくるので、ステップＳ３２において、MDR１４の近接通信部７１は、IDデバイス１５から送信されてきた応答メッセージを受信して、近接通信制御部７２に供給する。認証処理部７３は、IDデバイス１５と認証して、ステップＳ３３において、MDR１４の近接通信制御部７２は、近接通信部７１に、IDデバイス１５の固有の情報を基に、個人IDおよびPDR１３の位置情報を要求するコマンドを送信させて、IDデバイス１５から送信されてくる個人IDおよびPDR１３の位置情報を受信することにより、IDデバイス１５から、個人IDおよびPDR１３の位置情報を読み出す。
【０２５４】
ステップＳ３４において、通信部７５は、制御部７６の制御の基に、無線LANまたはbluetoothなどの規格に基づく近距離通信を介して、所定のメッセージを送信して、無線の局を探索する。無線LANアクセスポイント１６から応答のメッセージが送信されてくるので、ステップＳ３５において、通信部７５は、無線LANアクセスポイント１６宛てに所定のメッセージを送信することにより、無線LANアクセスポイント１６のサービスを探索する。
【０２５５】
無線LANアクセスポイント１６がサービス探索の応答のメッセージを送信してくるので、ステップＳ３６において、MDR１４の通信部７５は、無線LANアクセスポイント１６からのサービス探索の応答のメッセージを受信することにより、局およびサービスの情報を取得する。通信部７５は、取得した局およびサービスの情報を制御部７６に供給する。
【０２５６】
ステップＳ３７において、制御部７６は、取得したPDR１３の位置情報を基に、通信部７５に、LAN１１を介して、PDR１３と接続させる。ステップＳ３８において、制御部７６は、通信部７５に、LAN１１を介して、PDR１３宛てに個人IDを送信させる。
【０２５７】
PDR１３は、個人IDを基に認証データを生成して、送信してくるので、ステップＳ３９において、制御部７６は、通信部７５に、PDR１３から送信されてきた認証データを受信する。通信部７５は、認証データを制御部７６に供給し、制御部７６は、認証データをさらに認証処理部７３に供給する。
【０２５８】
ステップＳ４０において、認証処理部７３は、近接通信制御部７２を指示して、近接通信部７１に、近接通信を介して、IDデバイス１５宛てに、認証データを送信させる。IDデバイス１５は認証データを受信すると、レスポンスを生成して、レスポンスを送信してくるので、ステップＳ４１において、近接通信制御部８２は、近接通信部８１に、IDデバイス１５から送信されてきたレスポンスを受信させる。近接通信部７１は、受信したレスポンスを近接通信制御部７２に供給する。
【０２５９】
ステップＳ４２において、近接通信制御部７２は、受信したレスポンスにエラーがあるか否かを検査して、エラーが無ければ、レスポンスを認証処理部７３を介して、制御部７６に供給する。そして、ステップＳ４２において、制御部７６は、通信部７５に、LAN１１を介して、レスポンスをそのままレスポンスデータとしてPDR１３宛てに送信させる。
【０２６０】
PDR１３は、レスポンスデータを基に、認証の処理を実行して、その結果を示す認証結果を送信してくるので、ステップＳ４３において、MDR１４の通信部７５は、LAN１１および無線を介して、PDR１３から送信されてきた、認証結果のデータを受信する。ステップＳ４４において、制御部７６は、PDR１３の位置情報を基に、通信部７５に、個人情報の要求をPDR１３宛てに送信させる。
【０２６１】
PDR１３は、個人IDに対応する、１人の使用者の個人情報を送信してくるので、ステップＳ４５において、MDR１４の通信部７５は、LAN１１および無線を介して、PDR１３から送信されてきた、個人情報を受信する。通信部７５は、個人情報を制御部７６に供給する。ステップＳ４６において、制御部７６は、個人情報を蓄積部７７に記憶させ、処理は終了する。
【０２６２】
このように、MDR１４は、IDデバイス１５に記憶されている個人IDによって特定される個人の個人情報をPDR１３から取得して、記憶することができる。
【０２６３】
次に、図２２のフローチャートを参照して、周辺の領域に配置されているコンテンツを処理する機器を制御する処理を説明する。ステップＳ１３０１において、MDR１４の制御部７６は、通信部７５に、無線を介して、SDR１２宛てに周辺機器情報を要求するメッセージを送信する。
【０２６４】
ステップＳ２３０１において、無線LANアクセスポイント１６は、MDR１４から送信されてきたメッセージをSDR１２に中継する。すなわち、無線LANアクセスポイント１６は、無線を介して、MDR１４から送信されてきたメッセージを受信して、LAN１１を介して、メッセージをSDR１２宛てに送信する。
【０２６５】
ステップＳ３３０１において、SDR１２の通信部５１は、MDR１４から送信されてきた、周辺機器情報を要求するメッセージを受信して、受信したメッセージを処理部５２に供給する。周辺機器情報を要求するメッセージを受け取ると、ステップＳ３３０２において、処理部５２は、蓄積部５３から機能情報テーブルを読み出して、機能情報テーブルを基に、周辺機器情報を生成する。
【０２６６】
ステップＳ３３０３において、処理部５２は、生成して周辺機器情報を通信部５１に供給して、通信部５１に、LAN１１を介して、MDR１４宛てに、周辺機器情報を送信させる。
【０２６７】
ステップＳ２３０２において、無線LANアクセスポイント１６は、SDR１２から送信されてきた周辺機器情報をMDR１４に中継する。すなわち、無線LANアクセスポイント１６は、LAN１１を介して、SDR１２から送信されてきた周辺機器情報を受信して、無線を介して、周辺機器情報をMDR１４宛てに送信する。
【０２６８】
ステップＳ１３０２において、MDR１４の通信部７５は、LAN１１および無線を介して、SDR１２から送信され、無線LANアクセスポイント１６によって中継されてきた、周辺機器情報を受信する。
【０２６９】
図２３および図２４は、SDR１２からMDR１４に送信される、周辺機器情報の例を示す図である。
【０２７０】
図２３および図２４で示される周辺機器情報の例は、XML方式で記述されている。
【０２７１】
図２３および図２４で示される周辺機器情報の最初の行には、図２３および図２４で示される周辺機器情報がXML方式のバージョン1.0で記述されることを示すタグが配置されている。
【０２７２】
図２３および図２４で示される周辺機器情報において、３つの機器に関する情報が配置されている。
【０２７３】
図２３および図２４で示される周辺機器情報において、最初の機器名タグの開始タグと終了タグとの間に、機器名がHDDR-1であることを示すテキスト”HDDR-1”が配置されている。HDDR-1は、例えば、HDDビデオレコーダ１９の名前である。
【０２７４】
機器名タグの次に、機器名で特定される機器のIPアドレスを記述する機器IPアドレスタグが配置されている。図２３および図２４で示される周辺機器情報の最初の機器IPアドレスタグに、HDDR-1のIPアドレスが192.168.3.10あることを示すテキスト”192.168.3.10”が記述されている。
【０２７５】
図２３および図２４で示される周辺機器情報の機器種別タグに、HDDR-1（例えば、HDDビデオレコーダ１９）がHDDビデオレコーダであることが記述されている。
【０２７６】
図２３および図２４で示される周辺機器情報の機能タグは、さらに、HDDR-1が再生機能を持つことを示す再生タグ、停止タグ、保存機能を持つことを示す保存タグからなる。
【０２７７】
再生タグの開始タグと終了タグとの間に、再生のコマンドが”0x0001”であることを示すコマンドタグが配置されている。また、停止タグの開始タグと終了タグとの間に、停止のコマンドが”0x0002”であることを示すコマンドタグが配置されている。さらに、保存タグの開始タグと終了タグとの間に、保存のコマンドが”0x0003”であることを示すコマンドタグが配置されている。
【０２７８】
なお、保存のコマンドは、機能サービスリストにおける録画コマンドに対応している。
【０２７９】
図２３および図２４で示される周辺機器情報において、機能タグに続いて、コンテンツタグが配置されている。コンテンツタグには、HDDR-1に記録されているコンテンツに関係する情報が記述されている。
【０２８０】
図２３および図２４で示される周辺機器情報において、HDDR-1に対応して、２つのコンテンツタグが配置されている。
【０２８１】
例えば、最初のコンテンツタグの始めには、コンテンツの種別を示す、種別タグが配置されている。例えば、図２３および図２４で示される周辺機器情報において、コンテンツが映画コメディーであることを示す”映画コメディー”のテキストが、種別タグの開始タグと終了タグとの間に配置されている。
【０２８２】
種別タグに続いて、コンテンツ名タグが配置される。図２３および図２４で示される周辺機器情報において、コンテンツの名前が”ハウスアローン３”であることを示すコンテンツ名タグが配置されている。また、コンテンツ名タグに続いて、コンテンツの全再生時間が２時間０３分２３秒であることを示すコンテンツ時間タグが配置されている。
【０２８３】
また、コンテンツ時間タグに続いて、記録保存音声タグが配置される。図２３および図２４で示される周辺機器情報において、コンテンツの音声が日本語および英語であることを示す記録保存音声タグが配置されている。
【０２８４】
さらに、記録保存音声タグに続いて、記録保存操作ユーザ名タグが配置される。図２３および図２４で示される周辺機器情報において、コンテンツを記録した使用者がジョンであることを示す記録保存操作ユーザ名タグが配置されている。
【０２８５】
図２３および図２４で示される周辺機器情報の例の２番目のコンテンツタグの始めの種別タグの開始タグと終了タグとの間に、コンテンツがテレビドラマであることを示す”TVドラマ”のテキストが配置されている。
【０２８６】
２番目のコンテンツタグには、コンテンツの名前が”日曜サスペンス劇場”であることを示すコンテンツ名タグが配置されている。また、コンテンツ名タグに続いて、コンテンツの全再生時間が１時間２０分５６秒であることを示すコンテンツ時間タグが配置されている。
【０２８７】
さらに、図２３および図２４で示される周辺機器情報において、２番目のコンテンツタグには、コンテンツを記録した使用者がジョンであることを示す記録保存操作ユーザ名タグが配置されている。
【０２８８】
図２３および図２４で示される周辺機器情報において、２番目の機器名タグの開始タグと終了タグとの間に、機器名がTV-1であることを示すテキスト”TV-1”が配置されている。TV-1は、例えば、モニタ２１−１の名前である。
【０２８９】
機器名タグの次に、機器名で特定される機器のIPアドレスを記述する機器IPアドレスタグが配置されている。図２３および図２４で示される周辺機器情報の２番目の機器IPアドレスタグに、TV-1のIPアドレスが192.168.3.12であることが記述されている。
【０２９０】
図２３および図２４で示される周辺機器情報の機器種別タグに、TV-1（例えば、モニタ２１−１）がテレビジョン受像器であることが記述されている。
【０２９１】
図２３および図２４で示される周辺機器情報のTV-1に対応する設置場所タグに、TV-1が居間に設置されていることを示すテキスト”居間”が配置されている。
【０２９２】
図２３および図２４で示される周辺機器情報のTV-1に対応する機能タグは、TV-1が表示機能を持つことを示す表示タグ、DVDP-1の入力を選択する入力選択タグ、HDDR-1の入力を選択する入力選択タグからなる。
【０２９３】
図２３および図２４で示される周辺機器情報において、表示タグの開始タグと終了タグとの間に、再生のコマンドが”0x0001”であることを示すコマンドタグが配置されている。また、DVDP-1の入力を選択する入力選択タグの開始タグと終了タグとの間に、DVDP-1の入力を選択するコマンドが”0x0002”であることを示すコマンドタグが配置されている。さらに、HDDR-1の入力を選択する入力選択タグの開始タグと終了タグとの間に、HDDR-1の入力を選択するコマンドが”0x0003”であることを示すコマンドタグが配置されている。
【０２９４】
図２３および図２４で示される周辺機器情報において、３番目の機器名タグに、機器名がTV-2であることを示すテキスト”TV-2”が配置されている。TV-2は、例えば、モニタ２１−２の名前である。
【０２９５】
図２３および図２４で示される周辺機器情報の３番目の機器IPアドレスタグに、TV-2のIPアドレスが192.168.3.13であることが記述されている。
【０２９６】
図２３および図２４で示される周辺機器情報の機器種別タグの開始タグと終了タグとの間に、TV-2（例えば、モニタ２１−２）がテレビジョン受像器であることを示すテキスト”TV”が配置されている。
【０２９７】
図２３および図２４で示される周辺機器情報のTV-2に対応する設置場所タグに、TV-2が寝室に設置されていることを示すテキスト”寝室”が配置されている。
【０２９８】
図２３および図２４で示される周辺機器情報のTV-2に対応する機能タグは、TV-2が表示機能を持つことを示す表示タグ、DVDP-1の入力を選択する入力選択タグ、HDDR-1の入力を選択する入力選択タグからなる。
【０２９９】
図２３および図２４で示される周辺機器情報において、TV-2に対応する機能タグの表示タグの開始タグと終了タグとの間に、再生のコマンドが”0x0001”であることを示すコマンドタグが配置されている。また、TV-2に対応する機能タグのDVDP-1の入力を選択する入力選択タグの開始タグと終了タグとの間に、DVDP-1の入力を選択するコマンドが”0x0002”であることを示すコマンドタグが配置されている。さらに、TV-2に対応する機能タグのHDDR-1の入力を選択する入力選択タグの開始タグと終了タグとの間に、HDDR-1の入力を選択するコマンドが”0x0003”であることを示すコマンドタグが配置されている。
【０３００】
図２２に戻り、ステップＳ１３０３において、MDR１４は、パーソナライズの処理を実行する。パーソナライズの処理の詳細は、後述する。
【０３０１】
ステップＳ１３０４において、MDR１４の制御部７６は、通信部７５に、近距離無線通信を介して、パーソナライズの処理によって生成したコントローラ制御データを、パーソナルリモートコントローラ１７宛てに送信させる。
【０３０２】
ステップＳ４３０１において、パーソナルリモートコントローラ１７の通信部９１は、MDR１４から送信されてきた、コントローラ制御データを受信して、受信したコントローラ制御データを制御部９２に供給する。制御部９２は、受信したコントローラ制御データを蓄積部９３に蓄積させる。
【０３０３】
図２５は、MDR１４において生成され、MDR１４からパーソナルリモートコントローラ１７に送信されるコントローラ制御データの例を示す図である。
【０３０４】
図２５で示されるコントローラ制御データの例は、XML方式で記述されている。
【０３０５】
図２５で示されるコントローラ制御データの最初の行には、コントローラ制御データがXML方式のバージョン1.0で記述されることを示すタグが配置されている。
【０３０６】
コントローラ制御データには、最初にユーザ名タグが配置され、次に、コンテンツタグが配置され、さらに、視聴出力機器タグが配置される。
【０３０７】
図２５で示されるコントローラ制御データにおいて、ユーザ名タグの開始タグと終了タグとの間に、使用者の名前がジョンであることを示すテキスト”ジョン”が配置されている。
【０３０８】
図２５で示されるコントローラ制御データの例において、２つのコンテンツに関係する情報が記述されているコンテンツタグが配置されている。
【０３０９】
図２５で示されるコントローラ制御データにおいて、コンテンツタグのうちの、最初のコンテンツに関係する情報を記述するタグは、最初のコンテンツが映画であることを示す。
【０３１０】
図２５で示されるコントローラ制御データにおいて、最初のコンテンツの名前が”ハウスアローン３”であることを示すコンテンツ名タグが配置されて、コンテンツ名タグに続いて、コンテンツの再生時間が２時間０３分２３秒であることを示すコンテンツ時間タグが配置されている。
【０３１１】
また、図２５で示されるコントローラ制御データにおいて、最初のコンテンツの音声が日本語および英語であることを示す記録音声タグが配置されている。図２５で示されるコントローラ制御データの記録音声タグにおいて、コンテンツの音声として、英語が選択されていることが示されている。
【０３１２】
コントローラ制御データにおいて、コンテンツが収録されている機器を示す収録機器タグが配置される。さらに、収録機器タグには、コンテンツを収録している機器の名前およびIPアドレスを示すアドレスタグが配置される。
【０３１３】
図２５で示されるコントローラ制御データにおいて、最初のコンテンツに対応する収録機器タグには、最初のコンテンツを収録している機器の名前がHDDR-1であることを示し、最初のコンテンツを収録している機器のIPアドレスが192.168.0.10であることを示すアドレスタグが配置されている。
【０３１４】
図２５で示されるコントローラ制御データにおいて、コンテンツタグのうちの、２番目のコンテンツに関係する情報を記述するタグは、２番目のコンテンツがテレビドラマであることを示す。
【０３１５】
図２５で示されるコントローラ制御データにおいて、２番目のコンテンツの名前が”日曜サスペンス劇場”であることを示すコンテンツ名タグが配置されて、コンテンツ名タグに続いて、コンテンツの再生時間が１時間２０分５６秒であることを示すコンテンツ時間タグが配置されている。
【０３１６】
図２５で示されるコントローラ制御データにおいて、２番目のコンテンツに対応する収録機器タグには、２番目のコンテンツを収録している機器の名前がHDDR-1であることを示し、２番目のコンテンツを収録している機器のIPアドレスが192.168.0.10であることを示すアドレスタグが配置されている。
【０３１７】
図２５で示されるコントローラ制御データにおいて、コンテンツを処理する２つの機器に関する情報が記述されている視聴出力機器タグが配置されている。
【０３１８】
例えば、視聴出力機器タグには、それぞれの機器の設置場所、機器のアドレスを示すアドレスタグ、表示のコマンドを示す表示タグ、DVDP-1からの入力を選択するコマンドを示すDVDP-1入力選択タグ、およびHDDR-1からの入力を選択するコマンドを示すHDDR-1入力選択タグが配置される。
【０３１９】
図２５で示されるコントローラ制御データにおいて、視聴出力機器タグのうちの、最初の機器に関係する情報を記述するタグは、機器が居間のテレビジョン受像器であることを示す。
【０３２０】
図２５で示されるコントローラ制御データにおいて、最初の機器に対応するアドレスタグとして、最初の機器の名前がTV-1であることを示し、最初の機器のIPアドレスが192.168.0.12であることを示すアドレスタグが配置されている。
【０３２１】
図２５で示されるコントローラ制御データにおいて、最初の機器に対応する表示のコマンドを示す表示タグとして、表示のコマンドが0x0001であることを示す表示タグが配置されている。
【０３２２】
図２５で示されるコントローラ制御データにおいて、最初の機器に対応するDVDP-1からの入力を選択するコマンドを示すDVDP-1入力選択タグとして、DVDP-1からの入力を選択するコマンドが0x0002であることを示すDVDP-1入力選択タグが配置されている。
【０３２３】
図２５で示されるコントローラ制御データにおいて、最初の機器に対応するHDDR-1からの入力を選択するコマンドを示すHDDR-1入力選択タグとして、HDDR-1からの入力を選択するコマンドが0x0003であることを示すHDDR-1入力選択タグが配置されている。
【０３２４】
図２５で示されるコントローラ制御データにおいて、２番目の機器に対応するアドレスタグとして、２番目の機器の名前がTV-2であることを示し、２番目の機器のIPアドレスが192.168.0.13であることを示すアドレスタグが配置されている。
【０３２５】
図２５で示されるコントローラ制御データにおいて、２番目の機器に対応する表示のコマンドを示す表示タグとして、表示のコマンドが0x0001であることを示す表示タグが配置されている。
【０３２６】
図２５で示されるコントローラ制御データにおいて、２番目の機器に対応するDVDP-1からの入力を選択するコマンドを示すDVDP-1入力選択タグとして、DVDP-1からの入力を選択するコマンドが0x0002であることを示すDVDP-1入力選択タグが配置されている。
【０３２７】
図２５で示されるコントローラ制御データにおいて、２番目の機器に対応するHDDR-1からの入力を選択するコマンドを示すHDDR-1入力選択タグとして、HDDR-1からの入力を選択するコマンドが0x0003であることを示すHDDR-1入力選択タグが配置されている。
【０３２８】
図２２に戻り、ステップＳ４３０２において、パーソナルリモートコントローラ１７の制御部９２は、入力部９５から供給される、使用者の操作に対応する信号、および蓄積部９３に蓄積されているコントローラ制御データを基に、赤外線通信部９６または通信部９１に、制御信号を出力させて、処理は終了する。ステップＳ４３０２において、赤外線通信部９６は、赤外線を介して、コンテンツを処理する機器に制御信号を送信するか、または、通信部９１は、近距離無線（電波）を介して、コンテンツを処理する機器に制御信号を送信する。
【０３２９】
なお、ステップＳ４３０２において、パーソナルリモートコントローラ１７の赤外線通信部９６は、リモートコントローラ送受信装置２９に、無線または赤外線を介して、制御信号を送信し、リモートコントローラ送受信装置２９が、LAN１１を介して、コンテンツを処理する機器に制御信号を送信するようにしてもよい。
【０３３０】
次に、図２２のステップＳ１３０３の処理に対応する、パーソナライズの処理の詳細を図２６のフローチャートを参照して説明する。
【０３３１】
ステップＳ６１において、MDR１４の制御部７６は、蓄積部７７に蓄積されている個人情報から使用者の名前を抽出する。例えば、ステップＳ６１において、制御部７６は、図２０で示される個人情報から、名前タグの開始タグと終了タグとの間に配置されているテキスト”ジョン”を抽出することにより、使用者の名前を抽出する。
【０３３２】
ステップＳ６２において、MDR１４の制御部７６は、受信した周辺機器情報に含まれる機器の情報のうち、蓄積部７７に蓄積されている個人情報に含まれている機器の情報と一致するものを抽出する。
【０３３３】
例えば、図２０で示される個人情報において、利用ビデオ機器タグによって、使用者に使用される、コンテンツを処理する機器の名前がHDDR-1であることが示されているので、ステップＳ６２において、制御部７６は、図２３および図２４で示される周辺機器情報から、機器名がHDDR-1である機器の情報を抽出する。
【０３３４】
すなわち、例えば、図２３および図２４で示される周辺機器情報から、機器名がHDDR-1である、最初の機器に関係する情報が抽出される。より詳細には、機器名がHDDR-1（例えば、HDDビデオレコーダ１９）であることを示す機器名タグ、HDDR-1のIPアドレスが192.168.3.10であることを示す機器IPアドレスタグ、HDDR-1がHDDビデオレコーダであることを示す機器種別名タグ、HDDR-1の機能タグ、HDDR-1に記録されているコンテンツに関係する情報を示すコンテンツタグが抽出される。
【０３３５】
例えば、図２０で示される個人情報において、最初の利用テレビジョンタグによって、使用者に使用される、コンテンツを表示するテレビジョン受像器の名前がTV-1であることが示されているので、ステップＳ６２において、制御部７６は、図２３および図２４で示される周辺機器情報から、機器名がTV-1である機器の情報を抽出する。
【０３３６】
より詳細には、例えば、機器名がTV-1（例えば、モニタ２１−１）であることを示す機器名タグ、TV-1のIPアドレスが192.168.3.12であることを示す機器IPアドレスタグ、TV-1がテレビジョン受像器であることを示す機器種別名タグ、TV-1が居間に設置されていることを示す設置場所タグ、およびTV-1の機能タグが抽出される。
【０３３７】
また、例えば、図２０で示される個人情報において、２番目の利用テレビジョンタグによって、使用者に使用される、コンテンツを表示するテレビジョン受像器の名前がTV-2であることが示されているので、ステップＳ６２において、制御部７６は、図２３および図２４で示される周辺機器情報から、機器名がTV-2である機器の情報を抽出する。
【０３３８】
より詳細には、例えば、機器名がTV-2（例えば、モニタ２１−２）であることを示す機器名タグ、TV-2のIPアドレスが192.168.3.13であることを示す機器IPアドレスタグ、TV-2がテレビジョン受像器であることを示す機器種別名タグ、TV-2が寝室に設置されていることを示す設置場所タグ、およびTV-2の機能タグが抽出される。
【０３３９】
ステップＳ６３において、制御部７６は、受信した周辺機器情報に含まれるコンテンツの情報のうち、蓄積部７７に蓄積されている個人情報に含まれている名前と録画した者の名前とが一致するものを抽出する。
【０３４０】
例えば、図２０で示される個人情報において、名前タグによって、使用者の名前がジョンであることが示されているので、ステップＳ６３において、制御部７６は、図２３および図２４で示される周辺機器情報から、記録保存操作ユーザ名がジョンであるコンテンツの情報を抽出する。
【０３４１】
すなわち、例えば、図２３および図２４で示される周辺機器情報から、記録保存操作ユーザ名がジョンである、最初のコンテンツタグに記述されているコンテンツの情報が抽出される。より詳細には、記録保存操作ユーザ名がジョンである最初のコンテンツタグから、コンテンツが映画コメディーであることを示す種別タグ、コンテンツの名前が”ハウスアローン３”であることを示すコンテンツ名タグ、コンテンツの全再生時間が２時間０３分２３秒であることを示すコンテンツ時間タグ、並びにコンテンツの音声が日本語および英語であることを示す記録保存音声タグが抽出される。
【０３４２】
また、図２３および図２４で示される周辺機器情報から、記録保存操作ユーザ名がジョンである、２番目のコンテンツタグに記述されているコンテンツの情報が抽出される。より詳細には、記録保存操作ユーザ名がジョンである２番目のコンテンツタグから、コンテンツがテレビドラマであることを示す種別タグ、コンテンツの名前が”日曜サスペンス劇場”であることを示すコンテンツ名タグ、並びにコンテンツの全再生時間が１時間２０分５６秒であることを示すコンテンツ時間タグが抽出される。
【０３４３】
ステップＳ６４において、制御部７６は、ステップＳ６３の処理で抽出したコンテンツの情報において、蓄積部７７に蓄積されている個人情報に含まれている利用音声を選択する。
【０３４４】
例えば、図２０で示される個人情報において、利用音声選択タグによって、使用者が選択している音声が英語であることが示されているので、ステップＳ６４において、制御部７６は、最初のコンテンツタグの記録保存音声タグで示される、日本語および英語のうち、英語を選択する。
【０３４５】
ステップＳ６５において、制御部７６は、ステップＳ６１乃至ステップＳ６３の処理で抽出された機器の情報およびコンテンツの情報、並びにステップＳ６４の処理で選択された利用音声を基に、コントローラ制御データを生成して、処理は終了する。
【０３４６】
例えば、ステップＳ６５において、制御部７６は、図２０の個人情報、並びに図２３および図２４で示される周辺機器情報を基に、図２５で示される方式のコントローラ制御データを生成する。
【０３４７】
例えば、制御部７６は、蓄積部７７に蓄積されているコントローラ制御データのテンプレートに、ステップＳ６１乃至ステップＳ６３の処理で抽出された機器の情報およびコンテンツの情報、並びにステップＳ６４の処理で選択された利用音声を配置することにより、コントローラ制御データを生成する。
【０３４８】
このように、MDR１４は、パーソナライズの処理において、SDR１２から供給された周辺機器情報および蓄積部７７に蓄積されている個人情報を基に、周辺機器情報に含まれている情報のうち、個人情報に対応する情報を抽出するか、または選択することにより、コントローラ制御データを生成する。
【０３４９】
次に、図２２のステップＳ４３０２の処理に対応する、パーソナルリモートコントローラ１７による、コンテンツを処理する機器の制御の処理を図２７のフローチャートを参照して説明する。
【０３５０】
ステップＳ８１において、制御部９２は、MDR１４からLAN１１を介して送信され、通信部９１によって受信されたコントローラ制御データを、通信部９１から取得して、取得したコントローラ制御データを蓄積部９３に記憶させる（蓄積させる）。
【０３５１】
ステップＳ８２において、制御部９２は、蓄積部９３に記憶されているコントローラ制御データを基に、コンテンツに関係する情報を表示部９４に表示させる。また、ステップＳ８２において、制御部９２は、蓄積部９３に記憶されているコントローラ制御データを基に、コンテンツを処理する機器に関係する情報を表示部９４に表示させる。
【０３５２】
ステップＳ８３において、制御部９２は、蓄積部９３に記憶されているコントローラ制御データを基に、入力部９５に対する指示を割り当てる。例えば、ステップＳ８３において、制御部９２は、蓄積部９３に記憶されているコントローラ制御データを基に、入力部９５を構成する個々のスイッチと、個々の指示とを対応付けることにより、入力部９５に対する指示を割り当てる。
【０３５３】
また、例えば、使用者の操作に対応して入力部９５が座標データを出力する場合、ステップＳ８３において、制御部９２は、蓄積部９３に記憶されているコントローラ制御データを基に、入力部９５における座標と、個々の指示とを対応付けることにより、入力部９５に対する指示を割り当てる。
【０３５４】
図２８および図２９は、パーソナルリモートコントローラ１７の表示部９４に表示されるコンテンツに関係する情報およびコンテンツを処理する機器に関係する情報、並びに入力部９５に対する指示の割り当ての例を示す図である。
【０３５５】
図２８および図２９においては、液晶表示装置である表示部９４の表示、および表示部９４に重ねて設けられている透明のタッチパネルである入力部９５の指示の割り当ての例を示す。
【０３５６】
例えば、図２８で示されるように、表示部９４には、コンテンツに関する情報として、コントローラ制御データのコンテンツ名タグで示されるコンテンツの名前が表示される。例えば、図２５で示されるコントローラ制御データに基づいて、コンテンツの名前を表示する場合、ハウスアローン３および日曜サスペンス劇場であるコンテンツの名前が表示される。
【０３５７】
また、コンテンツの音声が選択できる場合、表示部９４には、コンテンツの名前に対応して、音声の選択ができることを示す画像（テキスト）が表示される。例えば、図２５で示されるコントローラ制御データに基づいて、音声の選択ができることを示す画像を表示する場合、ハウスアローン３に対応して、英語または日本語のいずれかの選択ができることを示す画像が表示される。この場合、図２５で示されるコントローラ制御データにおいては、英語が選択されているので、英語をデフォルトとする選択の画像が表示され、日本語を選択する画像は、例えば、プルダウンメニューとして表示される。
【０３５８】
また、例えば、図２８で示されるように、表示部９４には、コンテンツを処理する機器に関係する情報として、視聴出力機器タグの機器の設置場所（設置場所を含む機器の名前）が表示される。
【０３５９】
例えば、図２５で示されるコントローラ制御データに基づいて、コンテンツを処理する機器に関係する情報を表示する場合、居間のTVおよび寝室のTVであるコンテンツを処理する機器に関係する情報が表示される。
【０３６０】
さらに、例えば、図２８で示されるように、表示部９４には、終了ボタンが表示される。
【０３６１】
図２８で示される例において、表示部９４の表示に対応して、入力部９５の指示が割り当てられる。
【０３６２】
すなわち、例えば、図２８で示される例において、ハウスアローン３の表示の領域に重ねて、名前がハウスアローン３であるコンテンツを選択する領域が配置され、日曜サスペンス劇場の表示の領域に重ねて、名前が日曜サスペンス劇場であるコンテンツを選択する領域が配置される。
【０３６３】
例えば、名前がハウスアローン３であるコンテンツを選択する領域が押圧された場合、後述する処理において、名前がハウスアローン３であるコンテンツが特定される。名前が日曜サスペンス劇場であるコンテンツを選択する領域が押圧された場合、名前が日曜サスペンス劇場であるコンテンツが特定される。
【０３６４】
また、ハウスアローン３に対応する、英語または日本語のいずれかの選択ができることを示す画像に重ねて、英語または日本語のいずれかを選択する領域が配置される。例えば、英語または日本語のいずれかを選択する領域の押圧によって、出力される音声として、英語または日本語のいずれかが選択される。
【０３６５】
居間のTVの表示の領域に重ねて、居間のテレビジョン受像器（モニタ２１−１）を選択する領域が配置される。また、寝室のTVの表示の領域に重ねて、寝室のテレビジョン受像器（モニタ２１−２）を選択する領域が配置される。例えば、居間のTVを選択する領域が押圧された場合、コンテンツを表示する機器として居間に設置されているモニタ２１−１が特定され、寝室のTVを選択する領域が押圧された場合、コンテンツを表示する機器として寝室に設置されているモニタ２１−２が特定される。
【０３６６】
終了ボタンの表示の領域に重ねて、終了を指示する領域が配置される。例えば、終了ボタンが押圧された場合、終了が指示される。
【０３６７】
また、図２９で示されるように、コンテンツに関係する情報と、コンテンツを選択するボタンの画像を別々に表示するようにしてもよい。
【０３６８】
図２９で示される例において、表示部９４には、コンテンツに関する情報として、コンテンツの名前、コンテンツのジャンル、コンテンツに関係する人の名前、および再生時間が表示されている。例えば、ハウスアローン３であるコンテンツの名前、映画コメディーであるジャンル、オレックス・ヘンツであるコンテンツに関係する人の名前、および２時間３分２３秒である再生時間が表示部９４に表示される。
【０３６９】
また、例えば、サイレンスオブサウンドであるコンテンツの名前、楽曲ポップスであるジャンル、ガイモンとサーファンクルであるコンテンツに関係する人の名前、および２時間２３分１４秒である再生時間が表示部９４に表示される。
【０３７０】
図２９で示される例において、表示部９４には、コンテンツに関する情報に関係する位置に、コンテンツの選択ボタンが配置される。
【０３７１】
図２９中において、コンテンツに関する情報と縦に並ぶ位置に配置されたコンテンツの選択ボタンを押圧することによって、コンテンツが特定される。例えば、ハウスアローン３であるコンテンツの名前、映画コメディーであるジャンル、オレックス・ヘンツであるコンテンツに関係する人の名前、および２時間３分２３秒である再生時間の下に表示された、選択ボタンを押圧することによって、ハウスアローン３である名前のコンテンツが特定される。例えば、サイレンスオブサウンドであるコンテンツの名前、楽曲ポップスであるジャンル、ガイモンとサーファンクルであるコンテンツに関係する人の名前、および２時間２３分１４秒である再生時間の下に表示された、選択ボタンを押圧することによって、サイレンスオブサウンドである名前のコンテンツが特定される。
【０３７２】
図２７に戻り、ステップＳ８４において、制御部９２は、使用者の操作に対応する入力部９５からの信号を取得する。ステップＳ８５において、制御部９２は、蓄積部９３に記憶されているコントローラ制御データ、およびステップＳ８３の処理により割り当てられた入力部９５に対する指示を基に、取得した信号からコンテンツを特定する。
【０３７３】
ステップＳ８６において、制御部９２は、蓄積部９３に記憶されているコントローラ制御データを基に、ステップＳ８５の処理によって特定されたコンテンツを再生する機器を特定する。
【０３７４】
ステップＳ８７において、制御部９２は、蓄積部９３に記憶されているコントローラ制御データを基に、ステップＳ８６の処理によって特定された、コンテンツを再生する機器を制御するコマンドを特定する。
【０３７５】
ステップＳ８８において、制御部９２は、ステップＳ８４の処理によって取得された入力部９５からの信号、および蓄積部９３に記憶されているコントローラ制御データを基に、コンテンツを表示する機器を特定する。
【０３７６】
ステップＳ８９において、制御部９２は、ステップＳ８４の処理によって取得された入力部９５からの信号、および蓄積部９３に記憶されているコントローラ制御データを基に、コンテンツを表示する機器を制御するコマンドを特定する。
【０３７７】
ステップＳ９０において、制御部９２は、ステップＳ８７の処理およびステップＳ８９の処理によって特定された、コマンドに対応する制御信号を赤外線通信部９６に送信させる。
【０３７８】
なお、ステップＳ９０において、制御部９２は、ステップＳ８７の処理およびステップＳ８９の処理によって特定された、通信部９１に、無線およびLAN１１を介して、コマンドに対応する制御信号を送信させるようにしてもよい。
【０３７９】
ステップＳ９１において、制御部９２は、入力部９５からの信号および図示せぬ内蔵されているカウンタを基に、使用者によって入力部９５が操作されていない時間をカウントして、使用者によって入力部９５が操作されていない時間が、予め定めた時間を超えたか否か、すなわち、タイムアウトしたか否かを判定する。
【０３８０】
ステップＳ９１において、タイムアウトしていないと判定された場合、パーソナルリモートコントローラ１７による機器の制御が継続して行われているものとして、ステップＳ９２に進み、制御部９２は、入力部９５からの信号を基に、終了が指示されたか否かを判定する。ステップＳ９２において、終了が指示されていないと判定された場合、ステップＳ８４に戻り、入力部９５の操作に対応して、コンテンツを処理する機器に制御信号を送信する処理を繰り返す。
【０３８１】
ステップＳ９２において、終了が指示されたと判定された場合、ステップＳ９３に進み、制御部９２は、蓄積部９３に記憶されているコントローラ制御データを消去して、処理は終了する。
【０３８２】
また、ステップＳ９１において、タイムアウトしたと判定された場合、パーソナルリモートコントローラ１７による機器の制御が終了したものとして、ステップＳ９３に進み、制御部９２は、蓄積部９３に記憶されているコントローラ制御データを消去して、処理は終了する。
【０３８３】
コントローラ制御データを消去することで、特定の使用者に対応して生成されたコントローラ制御データが他人に利用されることを防止することができる。
【０３８４】
なお、コンテンツを再生している場合、パーソナルリモートコントローラ１７の表示部９４には、再生しているコンテンツの記録を指示するための表示がなされ、入力部９５には、再生しているコンテンツの記録の指示の割り当てがなされる。
【０３８５】
図３０は、コンテンツを再生している場合における、表示部９４の表示、および入力部９５の指示の割り当ての例を示す。
【０３８６】
コンテンツを再生している場合、パーソナルリモートコントローラ１７の表示部９４には、再生されているコンテンツに対する操作を選択するための表示がされる。例えば、表示部９４には、DVD-Rなどへの記録を指示する「永久に残すボタン」と、HDDなどへの記録を指示する「一時的に残すボタン」が配置される。例えば、「永久に残すボタン」が押圧されると、パーソナルリモートコントローラ１７は、DVDレコーダ２４に制御信号を送信して、DVDレコーダ２４に、再生されているコンテンツを、DVDレコーダ２４に装着されているDVD-Rに記録させる。例えば、「一時的に残すボタン」が押圧されると、パーソナルリモートコントローラ１７は、HDDビデオレコーダ１９に制御信号を送信して、HDDビデオレコーダ１９に、再生されているコンテンツを記録させる。
【０３８７】
この場合、図２７のフローチャートを参照して説明した機器の制御の処理は、ステップＳ８５において、再生されているコンテンツが特定され、ステップＳ８６において、コンテンツを記録する機器が特定され、ステップＳ８７において、コンテンツを記録する機器を制御するコマンドが特定されるように、実行される。
【０３８８】
次に、パーソナルリモートコントローラ１７の機能を内蔵するMDR１０１による、周辺の領域に配置されているコンテンツを処理する機器を制御する処理を図３１乃至図３４のフローチャートを参照して説明する。
【０３８９】
ステップＳ１４０１において、MDR１０１の制御部１１６は、通信部１１５に、無線LANまたはbluetoothなどの規格に基づく通信を介して、所定のメッセージを送信させて、無線の局を探索させる。
【０３９０】
ステップＳ２４０１において、無線LANアクセスポイント１６は、MDR１０１から局を探索するメッセージを受信したとき、応答のメッセージをMDR１０１に送信する。
【０３９１】
ステップＳ１４０２において、MDR１０１の通信部１１５は、無線LANアクセスポイント１６から送信されてきた応答のメッセージを受信して、制御部１１６に応答のメッセージを供給する。ステップＳ１４０３において、制御部１１６は、通信部１１５に、無線LANアクセスポイント１６宛てに所定のメッセージを送信させることにより、無線LANアクセスポイント１６のサービスを探索させる。
【０３９２】
ステップＳ２４０２において、無線LANアクセスポイント１６は、MDR１０１からサービスを探索するメッセージを受信したとき、サービス探索の応答のメッセージをMDR１０１に送信する。
【０３９３】
ステップＳ１４０４において、MDR１０１の通信部１１５は、無線LANアクセスポイント１６から送信されてきたサービス探索の応答のメッセージを受信して、制御部１１６にサービス探索の応答のメッセージを供給する。制御部１１６は、サービス探索の応答メッセージを取得することにより、無線LANアクセスポイント１６の機能（サービス）を知ることができる。
【０３９４】
ステップＳ１４０５において、MDR１０１の制御部１１６は、通信部１１５に、無線を介して、SDR１２宛てに周辺機器情報を要求するメッセージを送信する。
【０３９５】
ステップＳ２４０３において、無線LANアクセスポイント１６は、MDR１０１から送信されてきたメッセージをSDR１２に中継する。
【０３９６】
ステップＳ３４０１において、SDR１２の通信部５１は、MDR１０１から送信されてきた、周辺機器情報を要求するメッセージを受信して、受信したメッセージを処理部５２に供給する。ステップＳ３４０２において、処理部５２は、蓄積部５３から機能情報テーブルを読み出して、機能情報テーブルを基に、周辺機器情報を生成する。
【０３９７】
ステップＳ３４０３において、処理部５２は、生成して周辺機器情報を通信部５１に供給して、通信部５１に、LAN１１を介して、MDR１０１宛てに、周辺機器情報を送信させる。
【０３９８】
ステップＳ２４０４において、無線LANアクセスポイント１６は、SDR１２から送信されてきた周辺機器情報をMDR１０１に中継する。
【０３９９】
ステップＳ１４０６において、MDR１０１の通信部１１５は、LAN１１および無線を介して、SDR１２から送信され、無線LANアクセスポイント１６によって中継されてきた、周辺機器情報を受信する。通信部１１５は、受信した周辺機器情報を制御部１１６に供給する。
【０４００】
ステップＳ１４０７において、MDR１４は、パーソナライズの処理を実行する。ステップＳ１４０７における、パーソナライズの処理は、図２６のフローチャートを参照して説明した処理と同様なので、その詳細の説明は省略する。
【０４０１】
なお、パーソナライズの処理によって生成したコントローラ制御データを、蓄積部１１７に記憶するようにしてもよい。
【０４０２】
ステップＳ１４０８において、制御部１１６は、生成されたコントローラ制御データを基に、コンテンツに関係する情報を表示部１１８に表示させる。また、ステップＳ１４０８において、制御部１１６は、コントローラ制御データを基に、コンテンツを処理する機器に関係する情報を表示部１１８に表示させる。
【０４０３】
ステップＳ１４０９において、制御部１１６は、コントローラ制御データを基に、入力部１１９に対する指示を割り当てる。例えば、ステップＳ１４０９において、制御部１１６は、コントローラ制御データを基に、入力部１１９を構成する個々のスイッチと、個々の指示とを対応付けることにより、入力部１１９に対する指示を割り当てる。また、例えば、使用者の操作に対応して入力部１１９が座標データを出力する場合、ステップＳ１４０９において、制御部１１６は、コントローラ制御データを基に、入力部１１９における座標と、個々の指示とを対応付けることにより、入力部１１９に対する指示を割り当てる。
【０４０４】
ステップＳ１４１０において、制御部１１６は、使用者の操作に対応する入力部１１９からの信号を取得する。ステップＳ１４１１において、制御部１１６は、入力部１１９からの信号を共に、入力部１１９が操作されたか否かを判定する。ステップＳ１４１１において、入力部１１９が操作されたと判定された場合、ステップＳ１４１２に進み、制御部１１６は、使用者の操作に対応する入力部１１９からの信号を基に、指定された操作の対象となるコンテンツを特定して、コントローラ制御データを基に、このコンテンツの指定からコンテンツを再生する機器を特定する。
【０４０５】
以下、コンテンツを再生する機器として、DVDプレーヤ２３が特定された場合を例に説明する。
【０４０６】
ステップＳ１４１３において、MDR１０１の制御部１１６は、通信部１１５に、無線を介して、DVDプレーヤ２３宛てに再生スタンバイのコマンドを送信する。
【０４０７】
ステップＳ２４０５において、無線LANアクセスポイント１６は、MDR１０１から送信されてきた再生スタンバイのコマンドをDVDプレーヤ２３に中継する。
【０４０８】
ステップＳ４４０１において、DVDプレーヤ２３の通信部１６４は、MDR１０１から送信されてきた、再生スタンバイのコマンドを受信して、受信した再生スタンバイのコマンドを制御部１６２に供給する。
【０４０９】
ステップＳ４４０２において、制御部１６２は、DVD再生部１６１を再生スタンバイ状態に遷移させる。ステップＳ４４０３において、制御部１６２は、通信部１６４に、MDR１０１宛てに再生スタンバイ状態に遷移したことを示す応答メッセージを送信させる。
【０４１０】
ステップＳ２４０６において、無線LANアクセスポイント１６は、DVDプレーヤ２３から送信されてきた応答メッセージをMDR１０１に中継する。
【０４１１】
ステップＳ１４１４において、MDR１０１の通信部１１５は、LAN１１および無線を介して、DVDプレーヤ２３から送信され、無線LANアクセスポイント１６によって中継されてきた、応答メッセージを受信する。通信部１１５は、受信した応答メッセージを制御部１１６に供給する。これにより、制御部１１６は、DVDプレーヤ２３が再生スタンバイ状態に遷移したことを知ることができる。
【０４１２】
ステップＳ１４１５において、制御部１１６は、入力部９５からの信号、およびコントローラ制御データを基に、コンテンツを表示する機器を特定する。
【０４１３】
以下、コンテンツを表示する機器として、モニタ２１が特定された場合を例に説明する。
【０４１４】
ステップＳ１４１６において、MDR１０１の制御部１１６は、通信部１１５に、無線を介して、モニタ２１宛てに、表示開始のコマンド、およびDVDプレーヤ２３からの入力系統を選択する入力系統選択のコマンドを送信する。
【０４１５】
ステップＳ２４０７において、無線LANアクセスポイント１６は、MDR１０１から送信されてきた表示開始のコマンドおよび入力系統選択のコマンドをモニタ２１に中継する。
【０４１６】
ステップＳ５４０１において、モニタ２１は、MDR１０１から送信されてきた、表示開始のコマンドおよび入力系統選択のコマンドを受信する。
【０４１７】
ステップＳ５４０２において、モニタ２１は、DVDプレーヤ２３からの入力系統を選択する入力系統選択のコマンドを受信したので、DVDプレーヤ２３からの入力系統を選択する。ステップＳ５４０３において、モニタ２１は、表示開始のコマンドを受信したので、表示を開始する。ステップＳ５４０４において、モニタ２１は、MDR１０１宛てに表示を開始し、DVDプレーヤ２３からの入力系統を選択したことを示す応答メッセージを送信する。
【０４１８】
ステップＳ２４０８において、無線LANアクセスポイント１６は、モニタ２１から送信されてきた応答メッセージをMDR１０１に中継する。
【０４１９】
ステップＳ１４１７において、MDR１０１の通信部１１５は、LAN１１および無線を介して、モニタ２１から送信され、無線LANアクセスポイント１６によって中継されてきた、応答メッセージを受信する。通信部１１５は、受信した応答メッセージを制御部１１６に供給する。これにより、制御部１１６は、モニタ２１が表示を開始し、DVDプレーヤ２３からの入力系統を選択したことを知ることができる。
【０４２０】
ステップＳ１４１８において、MDR１０１の制御部１１６は、通信部１１５に、無線を介して、DVDプレーヤ２３宛てに再生開始のコマンドを送信する。
【０４２１】
ステップＳ２４０９において、無線LANアクセスポイント１６は、MDR１０１から送信されてきた再生開始のコマンドをDVDプレーヤ２３に中継する。
【０４２２】
ステップＳ４４０４において、DVDプレーヤ２３の通信部１６４は、MDR１０１から送信されてきた、再生開始のコマンドを受信して、受信した再生開始のコマンドを制御部１６２に供給する。
【０４２３】
ステップＳ４４０５において、制御部１６２は、DVD再生部１６１に、装着されているDVD１３１に記録されているコンテンツの再生を開始させる。コンテンツの再生を開始すると、制御部１６２は、通信部１６４に、LAN１１を介して、画像データまたは音声データを含む、コンテンツのデータをモニタ２１宛てに送信させる。ステップＳ４４０６において、制御部１６２は、通信部１６４に、MDR１０１宛てにコンテンツの再生を開始したことを示す応答メッセージを送信させる。
【０４２４】
ステップＳ２４１０において、無線LANアクセスポイント１６は、DVDプレーヤ２３から送信されてきた応答メッセージをMDR１０１に中継する。
【０４２５】
ステップＳ１４１９において、MDR１０１の通信部１１５は、LAN１１および無線を介して、DVDプレーヤ２３から送信され、無線LANアクセスポイント１６によって中継されてきた、応答メッセージを受信する。通信部１１５は、受信した応答メッセージを制御部１１６に供給する。これにより、制御部１１６は、DVDプレーヤ２３が再生を開始したことを知ることができる。
【０４２６】
ステップＳ１４２０において、制御部１１６は、入力部１１９からの信号および図示せぬ内蔵されているカウンタを基に、使用者によって入力部１１９が操作されていない時間をカウントして、使用者によって入力部１１９が操作されていない時間が、予め定めた時間を超えたか否か、すなわち、タイムアウトしたか否かを判定する。
【０４２７】
ステップＳ１４２０において、タイムアウトしていないと判定された場合、MDR１０１による機器の制御が継続して行われているものとして、ステップＳ１４１０に戻り、上述した処理を繰り返す。
【０４２８】
ステップＳ１４２０において、タイムアウトしたと判定された場合、MDR１０１による機器の制御が終了したものとして、ステップＳ１４２１に進み、制御部１１６は、PDR１３から受信した個人情報を消去する。例えば、ステップＳ１４２１において、制御部１１６は、蓄積部１１７に蓄積されている個人情報を消去する。
【０４２９】
ステップＳ１４２２において、制御部１１６は、SDR１２から受信した周辺機器情報を消去する。例えば、ステップＳ１４２２において、制御部１１６は、蓄積部１１７に蓄積されている周辺機器情報を消去する。
【０４３０】
ステップＳ１４２３において、制御部１１６は、パーソナライズの処理によって生成したコントローラ制御データを消去して、処理は終了する。例えば、ステップＳ１４２３において、制御部１１６は、蓄積部１１７に蓄積されているコントローラ制御データを消去する。
【０４３１】
タイムアウトによって、個人情報、周辺機器情報、またはコントローラ制御データを消去するようにしたので、個人情報、周辺機器情報、またはコントローラ制御データが他人に利用されることを防止することができる。特に、特定の使用者に対応して生成された個人情報およびコントローラ制御データを消去するので、個人に関係する情報が他人に取得されることを防止することができる。
【０４３２】
ステップＳ１４１１において、入力部１１９が操作されていないと判定された場合、ステップＳ１４１２乃至ステップＳ１４１９の処理はスキップされ、手続きは、ステップＳ１４２０に進み、タイムアウトであるか否かの判定の処理から上述した処理を繰り返す。
【０４３３】
このように、パーソナルリモートコントローラ１７の機能を内蔵するMDR１０１は、周辺の領域に配置されているコンテンツを処理する機器を制御することができる。
【０４３４】
MDR１０１は、周辺の領域に配置されているコンテンツを処理する機器を制御するための制御信号を赤外線を介して、機器に直接送信することができる。
【０４３５】
図３５乃至図３８は、赤外線を介して制御信号を送信する場合の、MDR１０１による、周辺の領域に配置されているコンテンツを処理する機器を制御する処理を説明するフローチャートである。ステップＳ１５０１乃至ステップＳ１５１２の処理、ステップＳ２５０１乃至ステップＳ２５０４の処理、ステップＳ３５０１乃至ステップＳ３５０３の処理のそれぞれは、図３１および図３２のステップＳ１４０１乃至ステップＳ１４１２の処理、ステップＳ２４０１乃至ステップＳ２４０４の処理、ステップＳ３４０１乃至ステップＳ３４０３の処理のそれぞれと同様なので、その説明は省略する。
【０４３６】
ステップＳ１５１３において、MDR１０１の制御部１１６は、赤外線通信部１２０に、赤外線を介して、DVDプレーヤ２３宛てに再生スタンバイの制御信号（コマンド）を送信させる。
【０４３７】
ステップＳ４５０１において、DVDプレーヤ２３の赤外線通信部１６６は、MDR１０１から送信されてきた、再生スタンバイの制御信号を受信して、受信した再生スタンバイの制御信号を制御部１６２に供給する。再生スタンバイの制御信号が供給されたので、ステップＳ４５０２において、制御部１６２は、DVD再生部１６１を再生スタンバイ状態に遷移させる。ステップＳ４５０３において、制御部１６２は、赤外線通信部１６６に、MDR１０１宛てに再生スタンバイ状態に遷移したことを示す応答信号を送信させる。
【０４３８】
ステップＳ１５１４において、MDR１０１の赤外線通信部１２０は、赤外線を介して、DVDプレーヤ２３から送信されてきた、応答信号を受信する。赤外線通信部１２０は、受信した応答信号を制御部１１６に供給する。これにより、制御部１１６は、DVDプレーヤ２３が再生スタンバイ状態に遷移したことを知ることができる。
【０４３９】
ステップＳ１５１５において、制御部１１６は、入力部９５からの信号、およびコントローラ制御データを基に、コンテンツを表示する機器を特定する。
【０４４０】
以下、図３１乃至図３４における場合と同様に、コンテンツを表示する機器として、モニタ２１が特定された場合を例に説明する。
【０４４１】
ステップＳ１５１６において、MDR１０１の制御部１１６は、赤外線通信部１２０に、赤外線を介して、モニタ２１宛てに、表示開始の制御信号、およびDVDプレーヤ２３からの入力系統を選択する入力系統選択の制御信号を送信させる。
【０４４２】
ステップＳ５５０１において、モニタ２１は、MDR１０１から送信されてきた、表示開始の制御信号および入力系統選択の制御信号を受信する。
【０４４３】
ステップＳ５５０２において、モニタ２１は、DVDプレーヤ２３からの入力系統を選択する入力系統選択の制御信号を受信したので、DVDプレーヤ２３からの入力系統を選択する。ステップＳ５５０３において、モニタ２１は、表示開始の制御信号を受信したので、表示を開始する。ステップＳ５５０４において、モニタ２１は、MDR１０１宛てに、表示を開始し、DVDプレーヤ２３からの入力系統を選択したことを示す応答信号を送信する。
【０４４４】
ステップＳ１５１７において、MDR１０１の赤外線通信部１２０は、赤外線を介して、モニタ２１から送信されてきた、応答信号を受信する。赤外線通信部１２０は、受信した応答信号を制御部１１６に供給する。これにより、制御部１１６は、モニタ２１が表示を開始し、DVDプレーヤ２３からの入力系統を選択したことを知ることができる。
【０４４５】
ステップＳ１５１８において、MDR１０１の制御部１１６は、赤外線通信部１２０に、赤外線を介して、DVDプレーヤ２３宛てに再生開始の制御信号（コマンド）を送信させる。
【０４４６】
ステップＳ４５０４において、DVDプレーヤ２３の赤外線通信部１６６は、MDR１０１から送信されてきた、再生開始の制御信号を受信して、受信した再生開始の制御信号を制御部１６２に供給する。ステップＳ４５０５において、制御部１６２は、DVD再生部１６１に、装着されているDVD１３１に記録されているコンテンツの再生を開始させる。コンテンツの再生を開始すると、制御部１６２は、通信部１６４に、LAN１１を介して、画像データまたは音声データを含む、コンテンツのデータをモニタ２１宛てに送信させる。ステップＳ４５０６において、制御部１６２は、赤外線通信部１６６に、MDR１０１宛てにコンテンツの再生を開始したことを示す応答信号を送信させる。
【０４４７】
ステップＳ１５１９において、MDR１０１の赤外線通信部１２０は、赤外線を介して、DVDプレーヤ２３から送信されてきた、応答信号を受信する。通信部１１５は、受信した応答信号を制御部１１６に供給する。これにより、制御部１１６は、DVDプレーヤ２３が再生を開始したことを知ることができる。
【０４４８】
ステップＳ１５２０乃至ステップＳ１５２３の処理のそれぞれは、図３４のステップＳ１４２０乃至ステップＳ１４２３の処理のそれぞれと同様なので、その説明は省略する。
【０４４９】
このように、パーソナルリモートコントローラ１７の機能を内蔵するMDR１０１は、赤外線を介した制御信号を送信することにより、周辺の領域に配置されているコンテンツを処理する機器を制御することができる。
【０４５０】
また、MDR１０１は、周辺の領域に配置されているコンテンツを処理する機器を動作させる前に、PDR１３から最新の個人情報を取得して、最新の個人情報に基づいて、コンテンツを処理する機器を制御するようにすることができる。
【０４５１】
なお、以下で説明する、PDR１３から最新の個人情報を取得する処理は、図１７乃至図１９を参照して説明した認証処理により認証された場合にのみ、許可される。
【０４５２】
図３９乃至図４３を参照して、この場合における、MDR１０１による、周辺の領域に配置されているコンテンツを処理する機器を制御する処理を説明する。
【０４５３】
ステップＳ１６０１乃至ステップＳ１６０４の処理、並びにステップＳ２６０１およびステップＳ２６０２の処理のそれぞれは、図３１のステップＳ１４０１乃至ステップＳ１４０４の処理、並びにステップＳ２４０１およびステップＳ２４０２の処理のそれぞれと同様なので、その説明は省略する。
【０４５４】
ステップＳ１６０５において、MDR１０１の制御部１１６は、通信部１１５に、無線を介して、PDR１３宛てに個人情報を要求するメッセージを送信する。
【０４５５】
ステップＳ２６０３において、無線LANアクセスポイント１６は、MDR１０１から送信されてきたメッセージをPDR１３に中継する。
【０４５６】
ステップＳ６６０１において、PDR１３の通信部６１は、LAN１１および無線を介して、MDR１０１から送信され、無線LANアクセスポイント１６によって中継されてきた、個人情報を要求するメッセージを受信して、受信したメッセージを制御部６２に供給する。
【０４５７】
ステップＳ６６０２において、制御部６２は、図１７乃至図１９を参照して説明した認証処理において取得した個人IDを基に、蓄積部６３に蓄積されている個人情報のうち、個人IDで特定される個人情報を選択する。
【０４５８】
なお、MDR１０１が、個人IDを個人情報を要求するメッセージと共に送信し、PDR１３が、個人IDを個人情報を要求するメッセージと共に受信するようにしてもよい。
【０４５９】
ステップＳ６６０３において、制御部６２は、選択された個人情報を通信部６１に供給し、通信部６１は、個人情報をLAN１１を介して、MDR１０１宛てに送信する。
【０４６０】
ステップＳ２６０４において、無線LANアクセスポイント１６は、PDR１３から送信されてきた個人情報をMDR１０１に中継する。
【０４６１】
ステップＳ１６０６において、MDR１０１の通信部１１５は、LAN１１および無線を介して、PDR１３から送信され、無線LANアクセスポイント１６によって中継されてきた、個人情報を受信する。通信部１１５は、受信した個人情報を制御部１１６に供給する。制御部１１６は、受信した個人情報を、蓄積部１１７に蓄積されている個人情報に上書きするように蓄積する（記憶する）。
【０４６２】
ステップＳ１６０７乃至ステップＳ１６２５、ステップＳ２６０５乃至ステップＳ２６１２、ステップＳ３６０１乃至ステップＳ３６０３、ステップＳ４６０１乃至ステップＳ４６０６、およびステップＳ５６０１乃至ステップＳ５６０４の処理のそれぞれは、図３１乃至図３４のステップＳ１４０５乃至ステップＳ１４２３、ステップＳ２４０３乃至ステップＳ２４１０、ステップＳ３４０１乃至ステップＳ３４０３、ステップＳ４４０１乃至ステップＳ４４０６、およびステップＳ５４０１乃至ステップＳ５４０４の処理のそれぞれと同様なので、その説明は省略する。
【０４６３】
このように、MDR１０１は、周辺の領域に配置されているコンテンツを処理する機器を動作させる前に、PDR１３から最新の個人情報を取得して、最新の個人情報に基づいて、コンテンツを処理する機器を制御するようにすることができる。
【０４６４】
以上のように、周辺の領域に配置されているコンテンツを処理する機器に関する情報、およびこれらの機器で取り扱われるコンテンツに関する情報、並びに個人情報を基に、コンテンツを処理する機器を制御するための情報を生成して、コンテンツを処理する機器を制御するための情報を基に、コンテンツを処理する機器を制御するようにしたので、特定個人に向けたコンテンツ指向のインタフェースを提供することができるようになり、さらに、コンテンツを処理する機器を選択したり、その機器にいちいち指令を与えたりする操作が不要になる。すなわち、所望のコンテンツに対する所望の処理を、より少ない操作でできるようになる。
【０４６５】
本発明によれば、「所望のコンテンツを視聴する」という目的指向のユーザインターフェースの枠組みを提供することができる。
【０４６６】
MDR１４、MDR１０１、およびパーソナルリモートコントローラ１７は、認証された場合に、個人情報を取得し、個人情報が不要になった場合に、個人情報およびコントローラ制御データを消去するようにしたので、第三者が不正に、個人情報およびコントローラ制御データを取得することを防止でき、より安全に、個人に関係する情報を取り扱うことができるようになる。
【０４６７】
さらに、MDR１４またはMDR１０１は、最新の個人情報を取得するようにした場合、最新の個人情報に基づくコントローラ制御データを生成することができ、MDR１０１およびパーソナルリモートコントローラ１７は、最新の個人情報に基づくコントローラ制御データによって、機器を制御することができる。
【０４６８】
このように、コンテンツを処理する装置に制御信号を送信するようにした場合には、コンテンツを処理する装置を制御することができる。
【０４６９】
また、自分の周辺の領域に配置されているコンテンツ処理装置から提供されるコンテンツに関係するコンテンツ関係情報を含むと共に、コンテンツ処理装置を制御するための装置制御情報を含む領域情報の記録を制御し、領域情報を基にコンテンツ処理装置のうちの特定のコンテンツ処理装置を制御するための制御データを生成する情報処理装置への、記録されている領域情報の送信を制御するようにした場合には、情報処理装置において、周辺の領域に配置されている、コンテンツ処理装置から提供されるコンテンツに対応させて、所望のコンテンツ処理装置を制御するための制御データを生成できるようになり、この制御データを用いることにより、コンテンツ処理装置に、所望のコンテンツに対する所望の処理を、より少ない操作で実行させることができる。
【０４７０】
SDR１２、PDR１３、MDR１４、パーソナルリモートコントローラ１７、またはMDR１０１は、専用の機器として構成することも、パーソナルコンピュータで構成することもできる。
【０４７１】
図４４は、パーソナルコンピュータの構成の例を示すブロック図である。CPU（Central Processing Unit）３０１は、ROM（Read Only Memory）３０２、または記録部３０８に記録されているプログラムに従って各種の処理を実行する。RAM（Random Access Memory）３０３には、CPU３０１が実行するプログラムやデータなどが適宜記憶される。これらのCPU３０１、ROM３０２、およびRAM３０３は、バス３０４により相互に接続されている。
【０４７２】
CPU３０１にはまた、バス３０４を介して入出力インタフェース３０５が接続されている。入出力インタフェース３０５には、キーボード、マウス、スイッチなどよりなる入力部３０６、ディスプレイ、スピーカ、ランプなどよりなる出力部３０７が接続されている。CPU３０１は、入力部３０６から入力される指令に対応して各種の処理を実行する。
【０４７３】
入出力インタフェース３０５に接続されている記録部３０８は、例えばハードディスクなどで構成され、CPU３０１が実行するプログラムや各種のデータを記録する。通信部３０９は、インターネット２、その他のネットワークなどの通信網を介して、他の機器と通信する。
【０４７４】
また、通信部３０９を介してプログラムを取得し、記録部３０８に記録してもよい。
【０４７５】
入出力インタフェース３０５に接続されているドライブ３１０は、磁気ディスク３５１、光ディスク３５２、光磁気ディスク３５３、或いは半導体メモリ３５４などが装着されたとき、それらを駆動し、そこに記録されているプログラムやデータなどを取得する。取得されたプログラムやデータは、必要に応じて記録部３０８に転送され、記録される。
【０４７６】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０４７７】
この記録媒体は、図４４に示すように、コンピュータとは別に、ユーザにプログラムを提供するために配布される、プログラムが記録されている磁気ディスク３５１（フレキシブルディスクを含む）、光ディスク３５２（CD-ROM(Compact Disc-Read Only Memory)、ＤＶＤ(Digital Versatile Disc)を含む）、光磁気ディスク３５３（ＭＤ(Mini-Disc)（商標）を含む）、若しくは半導体メモリ３５４などよりなるパッケージメディアにより構成されるだけでなく、コンピュータに予め組み込まれた状態でユーザに提供される、プログラムが記録されているROM３０２や、記録部３０８に含まれるハードディスクなどで構成される。
【０４７８】
なお、上述した一連の処理を実行させるプログラムは、必要に応じてルータ、モデムなどのインタフェースを介して、ローカルエリアネットワーク、インターネット、ディジタル衛星放送といった、有線または無線の通信媒体を介してコンピュータにインストールされるようにしてもよい。
【０４７９】
また、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０４８０】
なお、本明細書において、システムとは、複数の装置により構成される装置全体を表すものである。
【図面の簡単な説明】
【０４８１】
【図１】本発明に係るコンテンツ視聴システムの一実施の形態の構成を示す図である。
【図２】SDRの構成の例を示すブロック図である。
【図３】PDRの構成の例を示すブロック図である。
【図４】MDRの構成の例を示すブロック図である。
【図５】IDデバイスの構成の例を示すブロック図である。
【図６】パーソナルリモートコントローラの構成の例を示すブロック図である。
【図７】パーソナルリモートコントローラの機能を内蔵するMDRの構成の例を示すブロック図である。
【図８】DVDプレーヤの構成の例を示すブロック図である。
【図９】HDDビデオレコーダの構成の例を示すブロック図である。
【図１０】スピーカの構成の例を示すブロック図である。
【図１１】登録の処理を説明するフローチャートである。
【図１２】機能サービスリストの例を説明する図である。
【図１３】機能サービスリストの例を説明する図である。
【図１４】機能情報テーブルの例を示す図である。
【図１５】機能情報テーブルの更新の処理を説明するフローチャートである。
【図１６】SDRの登録および提供の処理を説明するフローチャートである。
【図１７】使用者に対応する個人情報の取得の処理を説明するフローチャートである。
【図１８】使用者に対応する個人情報の取得の処理を説明するフローチャートである。
【図１９】使用者に対応する個人情報の取得の処理を説明するフローチャートである。
【図２０】１人の使用者に対する個人情報の例を示す図である。
【図２１】MDRの個人情報の取得の処理の詳細を説明するフローチャートである。
【図２２】コンテンツを処理する機器を制御する処理を説明するフローチャートである。
【図２３】周辺機器情報の例を示す図である。
【図２４】周辺機器情報の例を示す図である。
【図２５】コントローラ制御データの例を示す図である。
【図２６】パーソナライズの処理を説明するフローチャートである。
【図２７】コンテンツを処理する機器の制御の処理を説明するフローチャートである。
【図２８】表示部に表示されるコンテンツに関係する情報およびコンテンツを処理する機器に関係する情報、並びに入力部に対する指示の割り当ての例を示す図である。
【図２９】表示部に表示されるコンテンツに関係する情報およびコンテンツを処理する機器に関係する情報、並びに入力部に対する指示の割り当ての例を示す図である。
【図３０】表示部に表示されるコンテンツに関係する情報およびコンテンツを処理する機器に関係する情報、並びに入力部に対する指示の割り当ての例を示す図である。
【図３１】周辺の領域に配置されているコンテンツを処理する機器を制御する処理を説明するフローチャートである。
【図３２】周辺の領域に配置されているコンテンツを処理する機器を制御する処理を説明するフローチャートである。
【図３３】周辺の領域に配置されているコンテンツを処理する機器を制御する処理を説明するフローチャートである。
【図３４】周辺の領域に配置されているコンテンツを処理する機器を制御する処理を説明するフローチャートである。
【図３５】周辺の領域に配置されているコンテンツを処理する機器を制御する処理を説明するフローチャートである。
【図３６】周辺の領域に配置されているコンテンツを処理する機器を制御する処理を説明するフローチャートである。
【図３７】周辺の領域に配置されているコンテンツを処理する機器を制御する処理を説明するフローチャートである。
【図３８】周辺の領域に配置されているコンテンツを処理する機器を制御する処理を説明するフローチャートである。
【図３９】周辺の領域に配置されているコンテンツを処理する機器を制御する処理を説明するフローチャートである。
【図４０】周辺の領域に配置されているコンテンツを処理する機器を制御する処理を説明するフローチャートである。
【図４１】周辺の領域に配置されているコンテンツを処理する機器を制御する処理を説明するフローチャートである。
【図４２】周辺の領域に配置されているコンテンツを処理する機器を制御する処理を説明するフローチャートである。
【図４３】周辺の領域に配置されているコンテンツを処理する機器を制御する処理を説明するフローチャートである。
【図４４】パーソナルコンピュータの構成の例を示すブロック図である。
【符号の説明】
【０４８２】
１−１，１−２  コンテンツ視聴システム，  ２  インターネット，  １１  LAN，  １２  SDR，  １３−１，１３−２，１３  PDR，  １４  MDR，  １５  IDデバイス，  １６  無線LANアクセスポイント，  １７  パーソナルリモートコントローラ，  １９  HDDビデオレコーダ，  ２１−１，２１−２，２１−３，２１−４，２１−５，２１  モニタ，  ２２−１，２２−２，２２−３，２２−４，２２−５，２２  スピーカ，  ２３  DVDプレーヤ，  ２９−１，２９−２，２９−３  リモートコントローラ送受信装置，  ５１  通信部，  ５２  処理部，  ５３  蓄積部，  ６１  通信部，  ６２  制御部，  ６３  蓄積部，  ６４  認証処理部，  ７１  近接通信部，  ７２  近接通信制御部，  ７３  認証処理部，  ７４  入出力部，  ７５  通信部，  ７６  制御部，  ７７  蓄積部，  ８１  近接通信部，  ８２  近接通信制御部，  ８３  認証処理部，  ８４  蓄積部，  ９１  通信部，  ９２  制御部，  ９３  蓄積部，  ９４  表示部，  ９５  入力部，  ９６  赤外線通信部，  １１１  近接通信部，  １１２  近接通信制御部，  １１３  認証処理部，  １１４  入出力部，  １１５  通信部，  １１６  制御部，  １１７  蓄積部，  １１８  表示部，  １１９  入力部，  １２０  赤外線通信部，  １３１  DVD，  １６１  DVD再生部，  １６２  制御部，  １６３  再生出力部，  １６４  通信部，  １６５  蓄積部，  １６６  赤外線通信部，  １８１  テレビジョンチューナ，  １８２  エンコーダ，  １８３  制御部，  １８４  コンテンツ記録部，  １８５  デコーダ，  １８６  通信部，  １８７  蓄積部，  １８８  赤外線通信部，  １９１  通信部，  １９２  制御部，  １９３  蓄積部，  １９７  赤外線通信部，  ３０１  ＣＰＵ，  ３０２  ＲＯＭ，  ３０３  ＲＡＭ，  ３０８  記録部，  ３５１  磁気ディスク，  ３５２  光ディスク，  ３５３  光磁気ディスク，  ３５４  半導体メモリ
【図１】
2005150881.tif 000003
【図２】
2005150881.tif 000004
【図３】
2005150881.tif 000005
【図４】
2005150881.tif 000006
【図５】
2005150881.tif 000007
【図６】
2005150881.tif 000008
【図７】
2005150881.tif 000009
【図８】
2005150881.tif 000010
【図９】
2005150881.tif 000011
【図１０】
2005150881.tif 000012
【図１１】
2005150881.tif 000013
【図１２】
2005150881.tif 000014
【図１３】
2005150881.tif 000015
【図１４】
2005150881.tif 000016
【図１５】
2005150881.tif 000017
【図１６】
2005150881.tif 000018
【図１７】
2005150881.tif 000019
【図１８】
2005150881.tif 000020
【図１９】
2005150881.tif 000021
【図２０】
2005150881.tif 000022
【図２１】
2005150881.tif 000023
【図２２】
2005150881.tif 000024
【図２３】
2005150881.tif 000025
【図２４】
2005150881.tif 000026
【図２５】
2005150881.tif 000027
【図２６】
2005150881.tif 000028
【図２７】
2005150881.tif 000029
【図２８】
2005150881.tif 000030
【図２９】
2005150881.tif 000031
【図３０】
2005150881.tif 000032
【図３１】
2005150881.tif 000033
【図３２】
2005150881.tif 000034
【図３３】
2005150881.tif 000035
【図３４】
2005150881.tif 000036
【図３５】
2005150881.tif 000037
【図３６】
2005150881.tif 000038
【図３７】
2005150881.tif 000039
【図３８】
2005150881.tif 000040
【図３９】
2005150881.tif 000041
【図４０】
2005150881.tif 000042
【図４１】
2005150881.tif 000043
【図４２】
2005150881.tif 000044
【図４３】
2005150881.tif 000045
【図４４】
2005150881.tif 000046